(57)【要約】【課題】端末が移動する場合も、移動先において、ＳＩＰセッションのセッション制御情報とＱｏＳポリシー情報の対応関係を維持し、セッションに対して行われる制御と連動してＱｏＳポリシー情報の制御も行えるようにする。【解決手段】ＥＲ３−１は、端末１の移動予知検出を行うと（ステップＳＴ５）、それをＰ−ＣＳＣＦ５−１に対し通知する（ステップＳＴ６）。Ｐ−ＣＳＣＦ５−１は、端末１の識別子Ｔ１に基づき相手端末２の識別子Ｔ２とセッション制御情報ＳＩ１とを取得し、ＥＲ３−１に対し通知する（ステップＳＴ７）。その情報はＥＲ３−１からＥＲ３−ｎ→Ｐ−ＣＦＣＳ５−ｎと転送される（ステップＳＴ８，ＳＴ９）。その結果、Ｐ−ＣＳＣＦ５−ｎでは、ＱｏＳポリシー情報Ｃ１−ｎが確保でき（ステップ１０（確保））、ＥＲ３−ｎに対し必要な設定「Ｔ１，Ｔ２，Ｃ１−ｎ」が行える（ステップ１１）。【選択図】　　　図２
2004056255.tif 000002
【特許請求の範囲】
【請求項１】
複数のエッジルータと、前記エッジルータにアクセスする移動端末を含む端末間のセッション制御処理を相互に連携して行うサーバであって、ネットワークの中央に配置される１以上のコアサーバと、ネットワークのエッジに配置され予め対応付けられているエッジルータに対するＱｏＳポリシー制御機能を有する複数のエッジサーバとを備える移動体ネットワークにおいて、
前記複数のエッジルータの中の第１エッジルータにアクセスする移動端末である第１端末と前記複数のエッジルータの中の第２エッジルータにアクセスする移動端末または固定端末である第２端末との間で交換されるセッション確立のためのセッション制御メッセージを受けて、前記第１エッジルータが対応付けられている前記第１エッジサーバと前記１以上のコアサーバと前記第２エッジルータが対応付けられている前記第２エッジサーバとが相互に連携して、前記第１端末と前記第２端末との間のセッション確立処理を行う際に、前記第１エッジサーバと前記第２エッジサーバとが、前記セッション制御メッセージから前記第１端末と前記第２端末それぞれの端末識別子とセッション制御情報とを取得し、取得したセッション制御情報に基づき、前記第１エッジサーバは前記第１端末から前記第２端末に向かうストリームの第１ＱｏＳポリシー情報を生成するとともに、前記第１ＱｏＳポリシー情報と前記第１端末と前記第２端末それぞれの端末識別子と前記セッション制御情報とを記憶し、前記第２エッジサーバは前記第２端末から前記第１端末に向かうストリームの第２ＱｏＳポリシー情報を生成するとともに、前記第２ＱｏＳポリシー情報と前記第１端末と前記第２端末それぞれの端末識別子と前記セッション制御情報とを記憶する工程と、
前記第１エッジサーバが前記第１エッジルータに対し、前記第１ＱｏＳポリシー情報と前記第１端末と前記第２端末それぞれの端末識別子と前記セッション制御情報との組、または、前記第１ＱｏＳポリシー情報と前記第１端末と前記第２端末それぞれの端末識別子との組のいずれか一方の組を設定し、前記第２エッジサーバが前記第２エッジルータに対し、前記第２ＱｏＳポリシー情報と前記第１端末と前記第２端末それぞれの端末識別子と前記セッション制御情報との組、または、前記第２ＱｏＳポリシー情報と前記第１端末と前記第２端末それぞれの端末識別子との組のいずれか一方の組を設定する工程と、
を含むことを特徴とする移動体ネットワークにおける帯域制御方法。
【請求項２】
前記第１エッジルータが、前記第１端末の移動予知検出を行った場合に、前記セッション制御情報を記憶していないとき、前記第１エッジサーバに対し前記第１端末の移動予知検出の通知を行う工程と、
前記第１エッジサーバが、前記第１エッジルータから通知された前記第１端末の端末識別子に基づき前記第２端末の端末識別子と前記セッション制御情報とを取得し、前記第１エッジルータに対し通知する工程と、
前記第１エッジルータが、前記第１端末の端末識別子と前記第１エッジサーバから送られてきた前記第２端末の端末識別子およびセッション制御情報とを前記第１端末の移動先である第３エッジルータに対し通知する工程と、
前記第３エッジルータが、前記複数のエッジサーバの中の対応する第３エッジサーバに対し、前記第１エッジルータから送られてきた前記第１端末と前記第２端末それぞれの端末識別子と前記セッション制御情報とを転送する工程と、
前記第３エッジサーバが、前記第３エッジルータから送られてきた前記セッション制御情報に基づき、前記第１端末から前記第２端末に向かうストリームの第３ＱｏＳポリシー情報を生成するとともに、前記第３ＱｏＳポリシー情報と前記第１端末と前記第２端末それぞれの端末識別子と前記セッション制御情報とを記憶する工程と、
前記第３エッジサーバが、前記第３エッジルータに対し、前記第３ＱｏＳポリシー情報と前記第１端末と前記第２端末それぞれの端末識別子と前記セッション制御情報との組、または、前記第３ＱｏＳポリシー情報と前記第１端末と前記第２端末それぞれの端末識別子との組のいずれか一方の組を設定する工程と、
を含むことを特徴とする請求項１に記載の移動体ネットワークにおける帯域制御方法。
【請求項３】
前記第１エッジルータが、前記第１端末の移動予知検出を行った場合に、前記第１エッジサーバに対し前記第１端末の移動予知検出の通知を行う工程と、
前記第１エッジサーバが、前記第１エッジルータから通知された前記第１端末の端末識別子に基づき前記第２端末の端末識別子と前記セッション制御情報とを取得し、前記第１端末の移動先である第３エッジルータに対応する前記複数のエッジサーバの中の第３エッジサーバに対し、前記第１端末と前記第２端末それぞれの端末識別子と前記セッション制御情報とを通知する工程と、
前記第３エッジサーバが、前記第１エッジサーバから送られてきた前記セッション制御情報に基づき、前記第１端末から前記第２端末に向かうストリームの第３ＱｏＳポリシー情報を生成するとともに、前記第３ＱｏＳポリシー情報と前記第１端末と前記第２端末それぞれの端末識別子と前記セッション制御情報とを記憶する工程と、
前記第３エッジサーバが、前記第３エッジルータに対し、前記第３ＱｏＳポリシー情報と前記第１端末と前記第２端末それぞれの端末識別子と前記セッション制御情報との組、または、前記第３ＱｏＳポリシー情報と前記第１端末と前記第２端末それぞれの端末識別子との組のいずれか一方の組を設定する工程と、
を含むことを特徴とする請求項１に記載の移動体ネットワークにおける帯域制御方法。
【請求項４】
前記第１端末と前記第１エッジルータと前記第３エッジルータとのいずれか一方が、前記第２エッジルータまたは前記第２端末のいずれか一方に対し前記第１端末の端末識別子を含む前記第１端末の移動通知を行う工程と、
前記第２エッジルータが、受信した前記第１端末の移動通知を前記第２エッジサーバに転送する工程と、
前記第２エッジサーバが、受信した前記第１端末の移動通知に含まれる前記第１端末の端末識別子に基づき、前記第２端末の識別子と前記セッション制御情報とを取得し、取得したセッション制御情報に基づき、前記第２端末から前記第１端末に向かうストリームの第４ＱｏＳポリシー情報を生成するとともに、前記第４ＱｏＳポリシー情報と前記第１端末と前記第２端末それぞれの端末識別子と前記セッション制御情報とを記憶する工程と、
前記第２エッジサーバが、前記第２エッジルータに対し、前記第４ＱｏＳポリシー情報と前記第１端末と前記第２端末それぞれの端末識別子と前記セッション制御情報との組、または、前記第４ＱｏＳポリシー情報と前記第１端末と前記第２端末それぞれの端末識別子との組のいずれか一方の組を設定するとともに、前記第２ＱｏＳポリシー情報を解放する工程と、
を含むことを特徴とする請求項２または３に記載の移動体ネットワークにおける帯域制御方法。
【請求項５】
前記第３エッジルータが、前記第１端末の自エッジルータへの移動処理の完了を検出したとき、前記第１エッジルータに対し前記第１端末の移動完了を通知する工程と、
前記第１エッジルータが、前記第３エッジルータから送られてきた前記第１端末の移動完了通知に含まれる前記第１端末の端末識別子に基づき前記第１ＱｏＳポリシー情報を取得して解放するとともに、前記第１エッジサーバに対し前記第１端末の移動完了を通知し、前記第１端末の端末識別子に関する記憶内容を削除する工程と、
前記第１エッジサーバが、前記第１エッジルータから前記第１端末の移動完了通知を受けて前記第１端末の端末識別子に関する記憶内容を削除する工程と、
を含むことを特徴とする請求項２〜４のいずれか一つに記載の移動体ネットワークにおける帯域制御方法。
【請求項６】
前記第３エッジルータが、前記第１端末の自エッジルータへの移動処理の完了を検出したとき、前記第３エッジサーバに対し前記第１端末の移動完了を通知する工程と、
前記第３エッジサーバが、前記第３エッジルータから送られてきた前記第１端末の移動完了通知を前記第１エッジサーバに対し転送する工程と、
前記第１エッジサーバが、前記第３エッジサーバから送られてきた前記第１端末の移動完了通知に含まれる前記第１端末の端末識別子に基づき前記第１ＱｏＳポリシー情報を取得して前記第１エッジルータに対し前記第１ＱｏＳポリシー情報の解放を行い、前記第１端末の端末識別子に関する記憶内容を削除する工程と、
前記第１エッジルータが、前記第１エッジサーバから解放処理を受けて、前記第１端末の端末識別子に関する記憶内容を削除する工程と、
を含むことを特徴とする請求項２〜４のいずれか一つに記載の移動体ネットワークにおける帯域制御方法。
【請求項７】
前記第１エッジルータでの前記第１端末の移動予知検出から前記第３エッジルータでの前記第１端末の移動完了検出までの間に、前記第１端末と前記第２端末との間に確立していたセッションが解放された場合に、
前記第１エッジサーバが、記憶しているセッション制御情報に基づき前記第１ＱｏＳポリシー情報を取得して前記第１エッジルータに対し前記第１ＱｏＳポリシー情報の解放を行い、前記第１ＱｏＳポリシー情報に関する記憶内容を削除するとともに、前記第３エッジサーバに対し、前記第１端末と前記第２端末との間のセッションの解放要求を通知する工程と、
前記第１エッジルータが、前記第１エッジサーバから解放処理を受けて、前記第１ＱｏＳポリシー情報に関する記憶内容を削除する工程と、
前記第３エッジサーバが、前記セッションの解放要求通知を受けて、通知されたセッション制御情報に基づき前記第３ＱｏＳポリシー情報を取得して前記第３エッジルータに対し前記第３ＱｏＳポリシー情報の解放を行い、前記第３ＱｏＳポリシー情報に関する記憶内容を削除する工程と、
前記第３エッジルータが、前記第３エッジサーバから解放処理を受けて、前記第３ＱｏＳポリシー情報に関する記憶内容を削除する工程と、
前記第２エッジサーバが、記憶しているセッション制御情報に基づき前記第２ＱｏＳポリシー情報または前記第４ＱｏＳポリシー情報を取得して前記第２エッジルータに対し前記第２ＱｏＳポリシー情報または前記第４ＱｏＳポリシー情報の解放を行い、前記第２ＱｏＳポリシー情報または前記第４ＱｏＳポリシー情報に関する記憶内容を削除する工程と、
前記第２エッジルータが、前記第２エッジサーバから解放処理を受けて、前記第２ＱｏＳポリシー情報または前記第４ＱｏＳポリシー情報に関する記憶内容を削除する工程と、
を含むことを特徴とする請求項２〜６のいずれか一つに記載の移動体ネットワークにおける帯域制御方法。
【請求項８】
前記第１端末の移動予知検出前に前記第１端末と前記第２端末との間に確立していたセッションが解放された場合に、
前記第１エッジサーバが、記憶しているセッション制御情報に基づき前記第１ＱｏＳポリシー情報を取得して前記第１エッジルータに対し前記第１ＱｏＳポリシー情報の解放を行い、前記第１ＱｏＳポリシー情報に関する記憶内容を削除する工程と、
前記第１エッジルータが、前記第１エッジサーバから解放処理を受けて、前記第１ＱｏＳポリシー情報に関する記憶内容を削除する工程と、
前記第２エッジサーバが、記憶しているセッション制御情報に基づき前記第２ＱｏＳポリシー情報を取得して前記第２エッジルータに対し前記第２ＱｏＳポリシー情報の解放を行い、前記第２ＱｏＳポリシー情報に関する記憶内容を削除する工程と、
前記第２エッジルータが、前記第２エッジサーバから解放処理を受けて、前記第２ＱｏＳポリシー情報に関する記憶内容を削除する工程と、
を含むことを特徴とする請求項１〜７のいずれか一つに記載の移動体ネットワークにおける帯域制御方法。
【請求項９】
前記第１端末の移動完了検出後に前記第１端末と前記第２端末との間に確立していたセッションが解放された場合に、
前記第３エッジサーバが、記憶しているセッション制御情報に基づき前記第３ＱｏＳポリシー情報を取得して前記第３エッジルータに対し前記第３ＱｏＳポリシー情報の解放を行い、前記第３ＱｏＳポリシー情報に関する記憶内容を削除する工程と、
前記第３エッジルータが、前記第３エッジサーバから解放処理を受けて、前記第３ＱｏＳポリシー情報に関する記憶内容を削除する工程と、
前記第２エッジサーバが、記憶しているセッション制御情報に基づき前記第４ＱｏＳポリシー情報を取得して前記第２エッジルータに対し前記第４ＱｏＳポリシー情報の解放を行い、前記第４ＱｏＳポリシー情報に関する記憶内容を削除する工程と、
前記第２エッジルータが、前記第２エッジサーバから解放処理を受けて、前記第４ＱｏＳポリシー情報に関する記憶内容を削除する工程と、
を含むことを特徴とする請求項１〜７のいずれか一つに記載の移動体ネットワークにおける帯域制御方法。
【請求項１０】
前記第１エッジサーバが、近隣のエッジルータとエッジサーバの対応関係が設定された対応テーブルを保持する工程と、
前記第１エッジルータが、移動先である前記第３エッジルータのアドレスを含む前記第１端末の移動予知検出の通知を前記第１エッジサーバに対して送信する工程と、
前記第１エッジサーバが、受信された前記第１端末の移動予知検出通知に含まれるアドレスに基づき前記対応テーブルを参照して前記第３エッジサーバのアドレスを取得する工程と、
を含むことを特徴とする請求項３に記載の移動体ネットワークにおける帯域制御方法。
【請求項１１】
前記第３エッジサーバが、近隣のエッジルータとエッジサーバの対応関係が設定された対応テーブルを保持する工程と、
前記第３エッジルータが、移動元である前記第１エッジルータのアドレスを含む前記第１端末の移動完了検出の通知を前記第３エッジサーバに対して送信する工程と、
前記第３エッジサーバが、受信された前記第１端末の移動完了検出通知に含まれるアドレスに基づき前記対応テーブルを参照して前記第１エッジサーバのアドレスを取得する工程と、
を含むことを特徴とする請求項６または７に記載の移動体ネットワークにおける帯域制御方法。
【請求項１２】
前記第１エッジルータが、前記第１端末の移動予知検出を行った場合に、移動先である前記第３エッジルータに対し自エッジルータに対応するエッジサーバのアドレスを要求する工程と、
前記第３エッジルータが、前記アドレス要求を受けて、対応するエッジサーバである前記第３エッジサーバのアドレスを前記第１エッジルータに対し返答する工程と、
前記第１エッジルータが、前記第３エッジルータから送られてきた前記第３エッジサーバのアドレスを前記第１エッジサーバに対し通知する工程と、
を含むことを特徴とする請求項３に記載の移動体ネットワークにおける帯域制御方法。
【請求項１３】
前記第３エッジルータが、前記第１端末の移動完了検出を行った場合に、移動元である前記第１エッジルータに対し自エッジルータが対応するエッジサーバのアドレスを要求する工程と、
前記第１エッジルータが、前記アドレス要求を受けて対応するエッジサーバである前記第１エッジサーバのアドレスを前記第３エッジルータに対し返答する工程と、
前記第３エッジルータが、前記第１エッジルータから送られてきた前記第１エッジサーバのアドレスを前記第３エッジサーバに対し通知する工程と、
を含むことを特徴とする請求項６または７に記載の移動体ネットワークにおける帯域制御方法。
【請求項１４】
前記第１エッジルータが、前記第１端末の移動予知検出を行った場合に、移動先である前記第３エッジルータに対し前記第１エッジサーバのアドレスを通知する工程と、
前記第３エッジルータが、前記第１エッジルータから送られてきた前記第１エッジサーバのアドレスを前記第３エッジサーバに対し通知する工程と、
を含むことを特徴とする請求項６または７に記載の移動体ネットワークにおける帯域制御方法。
【請求項１５】
前記第３エッジルータが、前記第１端末の自エッジルータへの移動処理の完了を検出したとき、前記第３エッジサーバのアドレスを前記第１端末に通知する工程と、
前記第１端末が、前記第３エッジサーバを介して前記１以上のコアサーバの対応するコアサーバに対し登録処理を実行する工程と、
を含むことを特徴とする請求項５または６に記載の移動体ネットワークにおける帯域制御方法。
【発明の詳細な説明】
【０００１】
【発明の属する技術分野】
この発明は、移動体ネットワークにおける帯域制御方法に関するものである。
【０００２】
【従来の技術】
次世代移動通信システムの仕様作成に携わる国際標準化機関３ＧＰＰ（Ｔｈｉｒｄ　Ｇｅｎｅｒａｔｉｏｎ　Ｐａｒｔｎｅｒｓｈｉｐ　Ｐｒｏｊｅｃｔ）では、現在、音声やビデオストリームといったリアルタイム系のマルチメディアサービスを提供するためのネットワーク機能ＩＭＳ（ＩＰ　Ｍｕｌｔｉｍｅｄｉａ　Ｓｕｂｓｙｓｔｅｍ）の標準化が進められている（ＴＳ２３．２２８Ｖ５．３．０）。
【０００３】
また、インターネット技術特別調査委員会（ＩＥＴＦ：Ｉｎｔｅｒｎｅｔ　Ｅｎｇｉｎｅｅｒｉｎｇ　Ｔａｓｋ　Ｆｏｒｃｅ）では、インターネットプロトコル（Ｉｎｔｅｒｎｅｔ　Ｐｒｏｔｏｃｏｌ：以下「ＩＰ」という）ネットワークにおける端末間のリアルタイムストリーム伝送のために、端末間のリアルタイムストリームに関する情報（セッション情報）を交換するための信号手順（制御プロトコル）であるセッション・イニシエーション・プロトコル（Ｓｅｓｓｉｏｎ　Ｉｎｉｔｉａｔｉｏｎ　Ｐｒｏｔｏｃｏｌ：以下「ＳＩＰ」という）が定められている（ＲＦＣ２５４３）。
【０００４】
図１２は、３ＧＰＰのＩＭＳで規定されるＳＩＰサーバの基本構成を示したシステム図である。図１２において、端末１２１，１２２は、エッジルータ（Ｅｄｇｅ　Ｒｏｕｔｅｒ：ＥＲ）であるＧＧＳＮ（Ｇａｔｅｗａｙ　ＧＰＲＳ　Ｓｕｐｐｏｒｔ　Ｎｏｄｅ）１２３，１２４を介して通信を行う。なお、ＧＰＲＳ（Ｇｅｎｅｒａｌ　Ｐａｃｋｅｔ　Ｒａｄｉｏ　Ｓｅｒｖｉｃｅ）は、ＧＳＭ（Ｇｌｏｂａｌ　Ｓｙｓｔｅｍ　ｆｏｒ　Ｍｏｂｉｌｅ　Ｃｏｍｍｕｎｉｃａｔｉｏｎ）方式の携帯端末ネットワーク上で使用される第２．５世代の無線データ通信システムである。
【０００５】
端末１２１，１２２間のセッションＳ１の確立は、Ｐ−ＣＳＣＦ（Ｐｒｏｘｙ　Ｃａｌｌ　Ｓｅｓｓｉｏｎ　Ｃｏｎｔｒｏｌ　Ｆｕｎｃｔｉｏｎ）１２５，Ｓ−ＣＳＣＦ（Ｓｅｒｖｉｎｇ　Ｃａｌｌ　Ｓｅｓｓｉｏｎ　Ｃｏｎｔｒｏｌ　Ｆｕｎｃｔｉｏｎ）１２６，Ｐ−ＣＳＣＦ１２７を介して行われる。
【０００６】
Ｓ−ＣＳＣＦ１２６は、ＩＰコアネットワークの中央に位置するＳＩＰサーバであり、各種のサービス（アクセス制御機能等）を提供する。Ｐ−ＣＳＣＦ１２５，１２７は、ＩＰコアネットワークのエッジに位置するＳＩＰサーバであり、Ｓ−ＣＳＣＦ１２６にＳＩＰメッセージを転送する。また、Ｐ−ＣＳＣＦ１２５，１２７は、Ｓ−ＣＳＣＦ１２６と連携してＥＲであるＧＧＳＮ１２３，１２４に対してＱｏＳ（Ｑｕａｌｉｔｙ　ｏｆ　Ｓｅｒｖｉｃｅ：通信品質保証）ポリシー制御を行う機構ＰＣＦ（Ｐｏｌｉｃｙ　Ｃｏｎｔｒｏｌ　Ｆｕｎｃｔｉｏｎ）を持っている。なお、Ｐ−ＣＳＣＦ１２５，１２７間には、Ｓ−ＣＳＣＦ等複数台のＳＩＰサーバが介在する場合もあるが、図１２では、説明を単純化するために、Ｓ−ＣＳＣＦ１２６の１台としている。
【０００７】
すなわち、端末１２１，１２２間のセッションＳ１を確立する場合には、ＳＩＰのセッション制御に関する端末１２１から端末１２２に向かうメッセージ（セッション制御情報）は、Ｐ−ＣＳＣＦ１２５→Ｓ−ＣＳＣＦ１２６→Ｐ−ＣＳＣＦ１２７のように転送される。また、ＳＩＰのセッション制御に関する端末１２２から端末１２１に向かうメッセージ（セッション制御情報）は、逆に、Ｐ−ＣＳＣＦ１２７→Ｓ−ＣＳＣＦ１２６→Ｐ−ＣＳＣＦ１２５のように転送される。その際に、Ｐ−ＣＳＣＦ１２５，１２７は、必要があれば、ＧＧＳＮ１２３，１２４に対してセッションＳ１に関するＱｏＳポリシー（ＱｏＳ、経路付け等）を設定する。
【０００８】
なお、セッション制御情報には、セッションを識別するためのセッション識別子等も含まれ、さらにＳＩＰ手順によるセッションのストリームを転送するトランスポートプロトコルに関する情報、符号化方法などの情報が含まれている。ここで、セッション識別子は、ＳＩＰのＣａｌｌ　ＩＤと発呼端末上の発呼ユーザの組とで識別される。
【０００９】
但し、３ＧＰＰでは、Ｐ−ＣＳＣＦ１２５，１２７からＥＲであるＧＧＳＮ１２３，１２４に対してＱｏＳポリシー制御を行う旨の規定はあるが、具体的な内容については、未定になっている。そこで、ＱｏＳポリシー制御の内容として、ＳＩＰサーバがネットワークにおけるセッションのリソースを確保するためのＱｏＳポリシー情報は、この明細書では、Ｃｏｎｔｅｘｔと称し、次のように規定することとしている。
【００１０】
すなわち、Ｃｏｎｔｅｘｔは、セッションのストリームを転送するためのフィルタ条件、出力インタフェース、およびセッションのために出力インタフェースまたはＲＦＣ３０３１（Ｍｕｌｔｉｐｒｏｔｏｃｏｌ　Ｌａｂｅｌ　Ｓｗｉｔｃｈｉｎｇ　Ａｒｃｈｉｔｅｃｔｕｒｅ）に規定されるＬＳＰ（Ｌａｂｅｌ　Ｓｗｉｔｃｈｅｄ　Ｐａｔｈ）に割り当てられているリソース量を含む。
【００１１】
図１３は、図１２に示したシステムにおいてＱｏＳポリシー情報（Ｃｏｎｔｅｘｔ）を設定するとした場合の帯域制御方法を説明するシステム図である。なお、図１３では、図１２に示したＧＧＳＮ１２３，１２４に代えてＥＲ１３１，１３２としている。
【００１２】
図１３において、端末１２１，１２２間のセッションＳ１を確立する場合に、Ｐ−ＣＳＣＦ１２５では、ＥＲ１３１からＥＲ１３２に向かうストリームのためのＣｏｎｔｅｘｔＣ１をＥＲ１３１に設定する。また、Ｐ−ＣＳＣＦ１２７では、ＥＲ１３２からＥＲ１３１に向かうストリームのためのＣｏｎｔｅｘｔＣ２をＥＲ１３２に設定する。
【００１３】
その結果、ＥＲ１３１，１３２は、フィルタ条件にマッチしたストリーム（セッションのストリーム）を、各々のインタフェース上で各々のリソースによって転送することになる。
【００１４】
【発明が解決しようとする課題】
図１４は、３ＧＰＰのＩＭＳを移動体ネットワークに適用した場合の帯域制御方法を説明するシステム図である。図１４では、移動端末である端末１２１が、ＥＲ１３１−１からＥＲ１３１−ｎに移動する場合が示されている。移動元のＥＲ１３１−１側には、Ｐ−ＣＳＣＦ１２５−１が存在し、移動先であるＥＲ１３１−ｎ側には、Ｐ−ＣＳＣＦ１２５−ｎが存在するとしている。
【００１５】
ここで、３ＧＰＰやＩＥＴＦでは、端末がＰ−ＣＳＣＦからポリシー制御を受けるＥＲ間に跨る移動を行うケースについては検討が行われていない。つまり、図１４において、端末１２１が、ＥＲ１３１−１からＥＲ１３１−ｎに移動した場合の処理については規定されていない。
【００１６】
この発明は、端末１２１が、ＥＲ１３１−１からＥＲ１３１−ｎに移動する場合の問題を解決しようとするものである。そのためには、以下の（１）（２）（３）の要件が必要であり、その要件を満たすようにする機構を構築する必要がある。
【００１７】
すなわち、（１）端末１２１の移動元においては、Ｐ−ＣＳＣＦ１２５−１は、ＥＲ１３１−１にＣｏｎｔｅｘｔＣ１−１を設定し、Ｐ−ＣＳＣＦ１２７は、ＥＲ１３２にＣｏｎｔｅｘｔＣ２−１を設定する。その際に、Ｐ−ＣＳＣＦ１２５−１は、セッション制御情報とＣｏｎｔｅｘｔＣ１−１との対応関係を保持でき、Ｐ−ＣＳＣＦ１２７は、セッション制御情報とＣｏｎｔｅｘｔＣ２−１との対応関係を保持できるようにする。
【００１８】
（２）また、端末１２１の移動先においては、Ｐ−ＣＳＣＦ１２５−ｎは、ＥＲ１３１−ｎにＣｏｎｔｅｘｔＣ１−ｎを設定し、Ｐ−ＣＳＣＦ１２７は、ＥＲ１３２にＣｏｎｔｅｘｔＣ２−ｎを設定して、ＥＲ１３１−ｎとＥＲ１３２との間で、ＣｏｎｔｅｘｔＣ１−ｎ，Ｃ２−ｎを確保できるようする。かつ、Ｐ−ＣＳＣＦ１２５−ｎは、セッション制御情報とＣｏｎｔｅｘｔＣ１−ｎとの対応関係を保持でき、Ｐ−ＣＳＣＦ１２７は、セッション制御情報とＣｏｎｔｅｘｔＣ２−ｎとの対応関係を保持できるようにする。
【００１９】
（３）さらに、Ｓ−ＣＳＣＦは、あるユーザ（端末）宛のセッション制御メッセージを受信した場合には、最後にそのユーザについてのＳＩＰ　Ｒｅｇｉｓｔｒａｔｉｏｎメッセージを受信したときの送信元のＰ−ＣＳＣＦに対しそのセッション制御メッセージを転送する。したがって、端末１２１が移動先で、Ｐ−ＣＳＣＦ１２５−ｎ経由でＳ−ＣＳＣＦ１２６に登録処理（ＳＩＰ　Ｒｅｇｉｓｔｒａｔｉｏｎ）を行わないと、ユーザ（端末１２１）宛のセッション制御メッセージは、Ｓ−ＣＳＣＦ１２６からＰ−ＣＳＣＦ１２５−１に転送されてしまうので、Ｐ−ＣＳＣＦ１２５−ｎではＣｏｎｔｅｘｔの設定が行えないことになる。この問題に対処するため、端末１２１が移動完了後に登録処理（ＳＩＰ　Ｒｅｇｉｓｔｒａｔｉｏｎ）が行えるようにする。
【００２０】
この発明は、上記に鑑みてなされたもので、端末が移動する場合も、移動先において、ＳＩＰセッションのセッション制御情報とＱｏＳポリシー情報（Ｃｏｎｔｅｘｔ）の対応関係を維持し、セッションに対して行われる制御と連動してＱｏＳポリシー情報（Ｃｏｎｔｅｘｔ）の制御も行うことができる移動体ネットワークにおける帯域制御方法を得ることを目的とする。
【００２１】
【課題を解決するための手段】
上記の目的を達成するために、この発明にかかる移動体ネットワークにおける帯域制御方法は、複数のエッジルータと、前記エッジルータにアクセスする移動端末を含む端末間のセッション制御処理を相互に連携して行うサーバであって、ネットワークの中央に配置される１以上のコアサーバと、ネットワークのエッジに配置され予め対応付けられているエッジルータに対するＱｏＳポリシー制御機能を有する複数のエッジサーバとを備える移動体ネットワークにおいて、前記複数のエッジルータの中の第１エッジルータにアクセスする移動端末である第１端末と前記複数のエッジルータの中の第２エッジルータにアクセスする移動端末または固定端末である第２端末との間で交換されるセッション確立のためのセッション制御メッセージを受けて、前記第１エッジルータが対応付けられている前記第１エッジサーバと前記１以上のコアサーバと前記第２エッジルータが対応付けられている前記第２エッジサーバとが相互に連携して、前記第１端末と前記第２端末との間のセッション確立処理を行う際に、前記第１エッジサーバと前記第２エッジサーバとが、前記セッション制御メッセージから前記第１端末と前記第２端末それぞれの端末識別子とセッション制御情報とを取得し、取得したセッション制御情報に基づき、前記第１エッジサーバは前記第１端末から前記第２端末に向かうストリームの第１ＱｏＳポリシー情報を生成するとともに、前記第１ＱｏＳポリシー情報と前記第１端末と前記第２端末それぞれの端末識別子と前記セッション制御情報とを記憶し、前記第２エッジサーバは前記第２端末から前記第１端末に向かうストリームの第２ＱｏＳポリシー情報を生成するとともに、前記第２ＱｏＳポリシー情報と前記第１端末と前記第２端末それぞれの端末識別子と前記セッション制御情報とを記憶する工程と、前記第１エッジサーバが前記第１エッジルータに対し、前記第１ＱｏＳポリシー情報と前記第１端末と前記第２端末それぞれの端末識別子と前記セッション制御情報との組、または、前記第１ＱｏＳポリシー情報と前記第１端末と前記第２端末それぞれの端末識別子との組のいずれか一方の組を設定し、前記第２エッジサーバが前記第２エッジルータに対し、前記第２ＱｏＳポリシー情報と前記第１端末と前記第２端末それぞれの端末識別子と前記セッション制御情報との組、または、前記第２ＱｏＳポリシー情報と前記第１端末と前記第２端末それぞれの端末識別子との組のいずれか一方の組を設定する工程とを含むことを特徴とする。
【００２２】
この発明によれば、複数のエッジルータの中の第１エッジルータにアクセスする移動端末である第１端末と複数のエッジルータの中の第２エッジルータにアクセスする移動端末または固定端末である第２端末との間でセッション制御メッセージが交換され、セッション確立要求があると、前記第１エッジルータが対応付けられている第１エッジサーバ、１以上のコアサーバおよび前記第２エッジルータが対応付けられている第２エッジサーバが相互に連系して端末間のセッション確立処理が行われる。そのセッション確立処理の過程で、第１エッジサーバと第２エッジサーバでは、セッション確立要求であるセッション制御メッセージから第１端末と第２端末それぞれの端末識別子とセッション制御情報とが取得される。そして、第１エッジサーバでは、取得したセッション制御情報に基づき、第１端末から第２端末に向かうストリームの第１ＱｏＳポリシー情報が生成されるとともに、第１ＱｏＳポリシー情報と両端末の端末識別子とセッション制御情報とが記憶される。並行して、第１エッジサーバでは、第１エッジルータに対し、第１ＱｏＳポリシー情報と両端末の端末識別子とセッション制御情報との組、または、前記第１ＱｏＳポリシー情報と両端末の端末識別子との組のいずれか一方の組が設定される。同様に、第２エッジサーバでは、取得したセッション制御情報に基づき、第２端末から第１端末に向かうストリームの第２ＱｏＳポリシー情報が生成されるとともに、第２ＱｏＳポリシー情報と両端末の端末識別子とセッション制御情報とが記憶される。並行して第２エッジサーバでは、第２エッジルータに対し、第２ＱｏＳポリシー情報と両端末の端末識別子とセッション制御情報との組、または、第２ＱｏＳポリシー情報と両端末の端末識別子との組のいずれか一方の組が設定される。
【００２３】
つぎの発明にかかる移動体ネットワークにおける帯域制御方法は、上記の発明において、前記第１エッジルータが、前記第１端末の移動予知検出を行った場合に、前記セッション制御情報を記憶していないとき、前記第１エッジサーバに対し前記第１端末の移動予知検出の通知を行う工程と、前記第１エッジサーバが、前記第１エッジルータから通知された前記第１端末の端末識別子に基づき前記第２端末の端末識別子と前記セッション制御情報とを取得し、前記第１エッジルータに対し通知する工程と、前記第１エッジルータが、前記第１端末の端末識別子と前記第１エッジサーバから送られてきた前記第２端末の端末識別子およびセッション制御情報とを前記第１端末の移動先である第３エッジルータに対し通知する工程と、前記第３エッジルータが、前記複数のエッジサーバの中の対応する第３エッジサーバに対し、前記第１エッジルータから送られてきた前記第１端末と前記第２端末それぞれの端末識別子と前記セッション制御情報とを転送する工程と、前記第３エッジサーバが、前記第３エッジルータから送られてきた前記セッション制御情報に基づき、前記第１端末から前記第２端末に向かうストリームの第３ＱｏＳポリシー情報を生成するとともに、前記第３ＱｏＳポリシー情報と前記第１端末と前記第２端末それぞれの端末識別子と前記セッション制御情報とを記憶する工程と、前記第３エッジサーバが、前記第３エッジルータに対し、前記第３ＱｏＳポリシー情報と前記第１端末と前記第２端末それぞれの端末識別子と前記セッション制御情報との組、または、前記第３ＱｏＳポリシー情報と前記第１端末と前記第２端末それぞれの端末識別子との組のいずれか一方の組を設定する工程とを含むことを特徴とする。
【００２４】
この発明によれば、上記の発明において、第１エッジルータでは、第１端末の移動予知検出が行われた場合に、セッション制御情報の記憶有無が判断され、その結果、セッション制御情報を記憶していないときに第１エッジサーバに対し第１端末の移動予知検出の通知が行われ、第１エッジサーバから、第２端末の端末識別子と前記セッション制御情報とが取得される。ついで、第１エッジルータから第１端末の移動先である第３エッジルータに対し、両端末の識別子とセッション制御情報とが通知され、それが第３エッジルータから複数のエッジサーバの中の対応する第３エッジサーバに転送される。斯くして、第３エッジサーバでは、第３エッジルータに移動して来ると予定される第１端末から第２端末に向かうストリームの第３ＱｏＳポリシー情報が第３エッジルータから送られてきたセッション制御情報に基づき生成され、併せて第３ＱｏＳポリシー情報と両端末の端末識別子とセッション制御情報とが記憶される。並行して、第３エッジサーバでは、第３エッジルータに対し、第３ＱｏＳポリシー情報と両端末の端末識別子とセッション制御情報との組、または、第３ＱｏＳポリシー情報と両端末の端末識別子との組のいずれか一方の組が設定される。
【００２５】
つぎの発明にかかる移動体ネットワークにおける帯域制御方法は、上記の発明において、前記第１エッジルータが、前記第１端末の移動予知検出を行った場合に、前記第１エッジサーバに対し前記第１端末の移動予知検出の通知を行う工程と、前記第１エッジサーバが、前記第１エッジルータから通知された前記第１端末の端末識別子に基づき前記第２端末の端末識別子と前記セッション制御情報とを取得し、前記第１端末の移動先である第３エッジルータに対応する前記複数のエッジサーバの中の第３エッジサーバに対し、前記第１端末と前記第２端末それぞれの端末識別子と前記セッション制御情報とを通知する工程と、前記第３エッジサーバが、前記第１エッジサーバから送られてきた前記セッション制御情報に基づき、前記第１端末から前記第２端末に向かうストリームの第３ＱｏＳポリシー情報を生成するとともに、前記第３ＱｏＳポリシー情報と前記第１端末と前記第２端末それぞれの端末識別子と前記セッション制御情報とを記憶する工程と、前記第３エッジサーバが、前記第３エッジルータに対し、前記第３ＱｏＳポリシー情報と前記第１端末と前記第２端末それぞれの端末識別子と前記セッション制御情報との組、または、前記第３ＱｏＳポリシー情報と前記第１端末と前記第２端末それぞれの端末識別子との組のいずれか一方の組を設定する工程とを含むことを特徴とする。
【００２６】
この発明によれば、上記の発明において、第１エッジルータでは、第１端末の移動予知検出が行われた場合に、第１エッジサーバに対し第１端末の移動予知検出の通知が行われる。すると、第１エッジサーバでは、第１エッジルータから通知された第１端末の端末識別子に基づき第２端末の端末識別子とセッション制御情報とが取得され、第１端末の移動先である第３エッジルータに対応する前記複数のエッジサーバの中の第３エッジサーバに対し、両端末の端末識別子とセッション制御情報とが通知される。斯くして、第３エッジサーバでは、第３エッジルータに移動して来ると予定される第１端末から第２端末に向かうストリームの第３ＱｏＳポリシー情報が第３エッジルータから送られてきたセッション制御情報に基づき生成され、併せて第３ＱｏＳポリシー情報と両端末の端末識別子とセッション制御情報とが記憶される。並行して、第３エッジサーバでは、第３エッジルータに対し、第３ＱｏＳポリシー情報と両端末の端末識別子とセッション制御情報との組、または、第３ＱｏＳポリシー情報と両端末の端末識別子との組のいずれか一方の組が設定される。
【００２７】
つぎの発明にかかる移動体ネットワークにおける帯域制御方法は、上記の発明において、前記第１端末と前記第１エッジルータと前記第３エッジルータとのいずれか一方が、前記第２エッジルータまたは前記第２端末のいずれか一方に対し前記第１端末の端末識別子を含む前記第１端末の移動通知を行う工程と、前記第２エッジルータが、受信した前記第１端末の移動通知を前記第２エッジサーバに転送する工程と、前記第２エッジサーバが、受信した前記第１端末の移動通知に含まれる前記第１端末の端末識別子に基づき、前記第２端末の識別子と前記セッション制御情報とを取得し、取得したセッション制御情報に基づき、前記第２端末から前記第１端末に向かうストリームの第４ＱｏＳポリシー情報を生成するとともに、前記第４ＱｏＳポリシー情報と前記第１端末と前記第２端末それぞれの端末識別子と前記セッション制御情報とを記憶する工程と、前記第２エッジサーバが、前記第２エッジルータに対し、前記第４ＱｏＳポリシー情報と前記第１端末と前記第２端末それぞれの端末識別子と前記セッション制御情報との組、または、前記第４ＱｏＳポリシー情報と前記第１端末と前記第２端末それぞれの端末識別子との組のいずれか一方の組を設定するとともに、前記第２ＱｏＳポリシー情報を解放する工程とを含むことを特徴とする。
【００２８】
この発明によれば、上記の発明において、第１端末と第１エッジルータと第３エッジルータとのいずれか一方にて、第２エッジルータまたは第２端末のいずれか一方に対し、第１端末の端末識別子を含む第１端末の移動通知が行われる。その結果、第１端末の移動通知が第２エッジルータから第２エッジサーバに転送され、第２エッジサーバにて、受信した第１端末の移動通知に含まれる第１端末の端末識別子に基づき、第２端末の識別子とセッション制御情報とが取得され、取得されたセッション制御情報に基づき、第２端末から第３エッジルータに移動して来ると予定される第１端末に向かうストリームの第４ＱｏＳポリシー情報が確保され、併せて第４ＱｏＳポリシー情報と両端末の端末識別子とセッション制御情報とが記憶される。並行して、第２エッジサーバから第２エッジルータに対し、第４ＱｏＳポリシー情報と前記両端末の端末識別子とセッション制御情報との組、または、第４ＱｏＳポリシー情報と両端末の端末識別子との組のいずれか一方の組を設定するとともに、第２ＱｏＳポリシー情報が解放される。
【００２９】
つぎの発明にかかる移動体ネットワークにおける帯域制御方法は、上記の発明において、前記第３エッジルータが、前記第１端末の自エッジルータへの移動処理の完了を検出したとき、前記第１エッジルータに対し前記第１端末の移動完了を通知する工程と、前記第１エッジルータが、前記第３エッジルータから送られてきた前記第１端末の移動完了通知に含まれる前記第１端末の端末識別子に基づき前記第１ＱｏＳポリシー情報を取得して解放するとともに、前記第１エッジサーバに対し前記第１端末の移動完了を通知し、前記第１端末の端末識別子に関する記憶内容を削除する工程と、前記第１エッジサーバが、前記第１エッジルータから前記第１端末の移動完了通知を受けて前記第１端末の端末識別子に関する記憶内容を削除する工程とを含むことを特徴とする。
【００３０】
この発明によれば、上記の発明において、第３エッジルータでは、第１端末の自エッジルータへの移動処理の完了が検出されると、第１エッジルータに対し第１端末の移動完了が通知される。その結果、移動元側では、第１エッジルータにて、第１ＱｏＳポリシー情報が解放され、第１エッジサーバに対し第１端末の移動完了が通知され、併せて第１端末の端末識別子に関する記憶内容が削除される。また、第１エッジサーバでも、同様に第１端末の端末識別子に関する記憶内容が削除される。
【００３１】
つぎの発明にかかる移動体ネットワークにおける帯域制御方法は、上記の発明において、前記第３エッジルータが、前記第１端末の自エッジルータへの移動処理の完了を検出したとき、前記第３エッジサーバに対し前記第１端末の移動完了を通知する工程と、前記第３エッジサーバが、前記第３エッジルータから送られてきた前記第１端末の移動完了通知を前記第１エッジサーバに対し転送する工程と、前記第１エッジサーバが、前記第３エッジサーバから送られてきた前記第１端末の移動完了通知に含まれる前記第１端末の端末識別子に基づき前記第１ＱｏＳポリシー情報を取得して前記第１エッジルータに対し前記第１ＱｏＳポリシー情報の解放を行い、前記第１端末の端末識別子に関する記憶内容を削除する工程と、前記第１エッジルータが、前記第１エッジサーバから解放処理を受けて、前記第１端末の端末識別子に関する記憶内容を削除する工程とを含むことを特徴とする。
【００３２】
この発明によれば、上記の発明において、第３エッジルータでは、第１端末の自エッジルータへの移動処理の完了が検出されると、第３エッジサーバに対し第１端末の移動完了が通知される。この第１端末の移動完了通知は、第３エッジサーバから第１エッジサーバに転送される。その結果、第１エッジサーバでは、第１エッジルータに対し第１ＱｏＳポリシー情報の解放が行われ、第１端末の端末識別子に関する記憶内容が削除される。第１エッジルータでも、同様に、第１端末の端末識別子に関する記憶内容が削除される。
【００３３】
つぎの発明にかかる移動体ネットワークにおける帯域制御方法は、上記の発明において、前記第１エッジルータでの前記第１端末の移動予知検出から前記第３エッジルータでの前記第１端末の移動完了検出までの間に、前記第１端末と前記第２端末との間に確立していたセッションが解放された場合に、前記第１エッジサーバが、記憶しているセッション制御情報に基づき前記第１ＱｏＳポリシー情報を取得して前記第１エッジルータに対し前記第１ＱｏＳポリシー情報の解放を行い、前記第１ＱｏＳポリシー情報に関する記憶内容を削除するとともに、前記第３エッジサーバに対し、前記第１端末と前記第２端末との間のセッションの解放要求を通知する工程と、前記第１エッジルータが、前記第１エッジサーバから解放処理を受けて、前記第１ＱｏＳポリシー情報に関する記憶内容を削除する工程と、前記第３エッジサーバが、前記セッションの解放要求通知を受けて、通知されたセッション制御情報に基づき前記第３ＱｏＳポリシー情報を取得して前記第３エッジルータに対し前記第３ＱｏＳポリシー情報の解放を行い、前記第３ＱｏＳポリシー情報に関する記憶内容を削除する工程と、前記第３エッジルータが、前記第３エッジサーバから解放処理を受けて、前記第３ＱｏＳポリシー情報に関する記憶内容を削除する工程と、前記第２エッジサーバが、記憶しているセッション制御情報に基づき前記第２ＱｏＳポリシー情報または前記第４ＱｏＳポリシー情報を取得して前記第２エッジルータに対し前記第２ＱｏＳポリシー情報または前記第４ＱｏＳポリシー情報の解放を行い、前記第２ＱｏＳポリシー情報または前記第４ＱｏＳポリシー情報に関する記憶内容を削除する工程と、前記第２エッジルータが、前記第２エッジサーバから解放処理を受けて、前記第２ＱｏＳポリシー情報または前記第４ＱｏＳポリシー情報に関する記憶内容を削除する工程とを含むことを特徴とする。
【００３４】
この発明によれば、上記の発明において、第１エッジルータでの第１端末の移動予知検出から第３エッジルータでの第１端末の移動完了検出までの間に、第１端末と第２端末との間に確立していたセッションが解放された場合には、第１エッジサーバでは、第１エッジルータに対し第１ＱｏＳポリシー情報の解放が行われ、また第１ＱｏＳポリシー情報に関する記憶内容が削除される。これによって、第１エッジルータでは、第１ＱｏＳポリシー情報に関する記憶内容が削除される。並行して、第１エッジサーバから第３エッジサーバに対し、第１端末と第２端末との間のセッションの解放要求が通知される。その結果、第３エッジサーバでは、第３エッジルータに対し第３ＱｏＳポリシー情報の解放が行われ、第３ＱｏＳポリシー情報に関する記憶内容が削除される。これによって、第３エッジルータでも同様に、第３ＱｏＳポリシー情報に関する記憶内容が削除される。また、セッションの相手側では、第２エッジサーバにて、第２エッジルータに対し第２ＱｏＳポリシー情報または第４ＱｏＳポリシー情報の解放が行われ、第２ＱｏＳポリシー情報または第４ＱｏＳポリシー情報に関する記憶内容が削除される。これによって、第２エッジルータでも、同様に、第２ＱｏＳポリシー情報または第４ＱｏＳポリシー情報に関する記憶内容が削除される。
【００３５】
つぎの発明にかかる移動体ネットワークにおける帯域制御方法は、上記の発明において、前記第１端末の移動予知検出前に前記第１端末と前記第２端末との間に確立していたセッションが解放された場合に、前記第１エッジサーバが、記憶しているセッション制御情報に基づき前記第１ＱｏＳポリシー情報を取得して前記第１エッジルータに対し前記第１ＱｏＳポリシー情報の解放を行い、前記第１ＱｏＳポリシー情報に関する記憶内容を削除する工程と、前記第１エッジルータが、前記第１エッジサーバから解放処理を受けて、前記第１ＱｏＳポリシー情報に関する記憶内容を削除する工程と、前記第２エッジサーバが、記憶しているセッション制御情報に基づき前記第２ＱｏＳポリシー情報を取得して前記第２エッジルータに対し前記第２ＱｏＳポリシー情報の解放を行い、前記第２ＱｏＳポリシー情報に関する記憶内容を削除する工程と、前記第２エッジルータが、前記第２エッジサーバから解放処理を受けて、前記第２ＱｏＳポリシー情報に関する記憶内容を削除する工程とを含むことを特徴とする。
【００３６】
この発明によれば、上記の発明において、第１端末の移動予知検出前に第１端末と第２端末との間に確立していたセッションが解放された場合には、第１エッジサーバにて、第１エッジルータに対し第１ＱｏＳポリシー情報の解放が行われ、第１ＱｏＳポリシー情報に関する記憶内容が削除される。これによって、第１エッジルータでも、第１ＱｏＳポリシー情報に関する記憶内容が削除される。また、セッションの相手側では、第２エッジサーバにて、第２エッジルータに対し第２ＱｏＳポリシー情報の解放が行われ、第２ＱｏＳポリシー情報に関する記憶内容が削除される。これによって、第２エッジルータでも、第２ＱｏＳポリシー情報に関する記憶内容が削除される。
【００３７】
つぎの発明にかかる移動体ネットワークにおける帯域制御方法は、上記の発明において、前記第１端末の移動完了検出後に前記第１端末と前記第２端末との間に確立していたセッションが解放された場合に、前記第３エッジサーバが、記憶しているセッション制御情報に基づき前記第３ＱｏＳポリシー情報を取得して前記第３エッジルータに対し前記第３ＱｏＳポリシー情報の解放を行い、前記第３ＱｏＳポリシー情報に関する記憶内容を削除する工程と、前記第３エッジルータが、前記第３エッジサーバから解放処理を受けて、前記第３ＱｏＳポリシー情報に関する記憶内容を削除する工程と、前記第２エッジサーバが、記憶しているセッション制御情報に基づき前記第４ＱｏＳポリシー情報を取得して前記第２エッジルータに対し前記第４ＱｏＳポリシー情報の解放を行い、前記第４ＱｏＳポリシー情報に関する記憶内容を削除する工程と、前記第２エッジルータが、前記第２エッジサーバから解放処理を受けて、前記第４ＱｏＳポリシー情報に関する記憶内容を削除する工程とを含むことを特徴とする。
【００３８】
この発明によれば、上記の発明において、第１端末の移動完了検出後に第１端末と第２端末との間に確立していたセッションが解放された場合には、第３エッジサーバにて、第３エッジルータに対し第３ＱｏＳポリシー情報の解放が行われ、第３ＱｏＳポリシー情報に関する記憶内容が削除される。これによって、第３エッジルータでも、第３ＱｏＳポリシー情報に関する記憶内容が削除される。また、セッションの相手側では、第２エッジサーバにて、第２エッジルータに対し第４ＱｏＳポリシー情報の解放が行われ、第４ＱｏＳポリシー情報に関する記憶内容が削除される。これによって、第２エッジルータでも、第４ＱｏＳポリシー情報に関する記憶内容が削除される。
【００３９】
つぎの発明にかかる移動体ネットワークにおける帯域制御方法は、上記の発明において、前記第１エッジサーバが、近隣のエッジルータとエッジサーバの対応関係が設定された対応テーブルを保持する工程と、前記第１エッジルータが、移動先である前記第３エッジルータのアドレスを含む前記第１端末の移動予知検出の通知を前記第１エッジサーバに対して送信する工程と、前記第１エッジサーバが、受信された前記第１端末の移動予知検出通知に含まれるアドレスに基づき前記対応テーブルを参照して前記第３エッジサーバのアドレスを取得する工程とを含むことを特徴とする。
【００４０】
この発明によれば、上記の発明において、第１エッジサーバでは、近隣のエッジルータとエッジサーバの対応関係が設定された対応テーブルが予め用意されており、第１エッジルータから、移動先である第３エッジルータのアドレスを含む第１端末の移動予知検出の通知が送られてくると、受信された第１端末の移動予知検出通知に含まれるアドレスに基づき対応テーブルを参照して第３エッジサーバのアドレスが取得される。
【００４１】
つぎの発明にかかる移動体ネットワークにおける帯域制御方法は、上記の発明において、前記第３エッジサーバが、近隣のエッジルータとエッジサーバの対応関係が設定された対応テーブルを保持する工程と、前記第３エッジルータが、移動元である前記第１エッジルータのアドレスを含む前記第１端末の移動完了検出の通知を前記第３エッジサーバに対して送信する工程と、前記第３エッジサーバが、受信された前記第１端末の移動完了検出通知に含まれるアドレスに基づき前記対応テーブルを参照して前記第１エッジサーバのアドレスを取得する工程とを含むことを特徴とする。
【００４２】
この発明によれば、上記の発明において、第３エッジサーバでは、近隣のエッジルータとエッジサーバの対応関係が設定された対応テーブルが予め用意されており、第３エッジルータから、移動元である第１エッジルータのアドレスを含む第１端末の移動完了検出の通知が送られてくると、受信された第１端末の移動完了検出通知に含まれるアドレスに基づき対応テーブルを参照して第１エッジサーバのアドレスが取得される。
【００４３】
つぎの発明にかかる移動体ネットワークにおける帯域制御方法は、上記の発明において、前記第１エッジルータが、前記第１端末の移動予知検出を行った場合に、移動先である前記第３エッジルータに対し自エッジルータに対応するエッジサーバのアドレスを要求する工程と、前記第３エッジルータが、前記アドレス要求を受けて、対応するエッジサーバである前記第３エッジサーバのアドレスを前記第１エッジルータに対し返答する工程と、前記第１エッジルータが、前記第３エッジルータから送られてきた前記第３エッジサーバのアドレスを前記第１エッジサーバに対し通知する工程とを含むことを特徴とする。
【００４４】
この発明によれば、上記の発明において、第１エッジルータでは、第１端末の移動予知検出が行われると、移動先である第３エッジルータに対し自エッジルータに対応するエッジサーバのアドレスを要求し、第３エッジルータから、対応するエッジサーバである第３エッジサーバのアドレスが送られてくると、その第３エッジサーバのアドレスが第１エッジサーバに対し通知される。
【００４５】
つぎの発明にかかる移動体ネットワークにおける帯域制御方法は、上記の発明において、前記第３エッジルータが、前記第１端末の移動完了検出を行った場合に、移動元である前記第１エッジルータに対し自エッジルータが対応するエッジサーバのアドレスを要求する工程と、前記第１エッジルータが、前記アドレス要求を受けて対応するエッジサーバである前記第１エッジサーバのアドレスを前記第３エッジルータに対し返答する工程と、前記第３エッジルータが、前記第１エッジルータから送られてきた前記第１エッジサーバのアドレスを前記第３エッジサーバに対し通知する工程とを含むことを特徴とする。
【００４６】
この発明によれば、上記の発明において、第３エッジルータでは、第１端末の移動完了検出が行われると、移動元である第１エッジルータに対し自エッジルータが対応するエッジサーバのアドレスを要求し、第１エッジルータから、第１エッジサーバのアドレスが送られてくると、その第１エッジサーバのアドレスが第３エッジサーバに対し通知される。
【００４７】
つぎの発明にかかる移動体ネットワークにおける帯域制御方法は、上記の発明において、前記第１エッジルータが、前記第１端末の移動予知検出を行った場合に、移動先である前記第３エッジルータに対し前記第１エッジサーバのアドレスを通知する工程と、前記第３エッジルータが、前記第１エッジルータから送られてきた前記第１エッジサーバのアドレスを前記第３エッジサーバに対し通知する工程とを含むことを特徴とする。
【００４８】
この発明によれば、上記の発明において、第１エッジルータでは、第１端末の移動予知検出が行われると、移動先である第３エッジルータに対し第１エッジサーバのアドレスが通知される。第３エッジルータでは、第１エッジルータから送られてきた第１エッジサーバのアドレスが第３エッジサーバに対し通知される。
【００４９】
つぎの発明にかかる移動体ネットワークにおける帯域制御方法は、上記の発明において、前記第３エッジルータが、前記第１端末の自エッジルータへの移動処理の完了を検出したとき、前記第３エッジサーバのアドレスを前記第１端末に通知する工程と、前記第１端末が、前記第３エッジサーバを介して前記１以上のコアサーバの対応するコアサーバに対し登録処理を実行する工程とを含むことを特徴とする。
【００５０】
この発明によれば、上記の発明において、第３エッジルータでは、第１端末の自エッジルータへの移動処理の完了が検出されると、第３エッジサーバのアドレスが第１端末に通知される。その結果、第１端末では、第３エッジサーバを介して１以上のコアサーバの対応するコアサーバに対し登録処理が実行される。
【００５１】
【発明の実施の形態】
以下に添付図面を参照して、この発明にかかる移動体ネットワークにおける帯域制御方法の好適な実施の形態を詳細に説明する。
【００５２】
実施の形態１．
図１〜図５は、この発明の実施の形態１である移動体ネットワークにおける帯域制御方法を説明するシステム図である。なお、図１は、端末間のＳＩＰセッション確立時の処理を説明するシステム図である。図２は、移動元エッジルータでの端末の移動予知検出時の処理を説明するシステム図である。図３は、セッションの相手への端末移動通知の処理を説明するシステム図である。図４は、移動先エッジルータでの端末の移動完了検出時の処理を説明するシステム図である。図５は、端末移動完了検出後のＳＩＰセッション解放処理を説明するシステム図である。
【００５３】
図１〜図５において、端末１は、移動端末であり、端末２は、移動端末または固定端末である。端末１，２は、エッジルータ（Ｅｄｇｅ　Ｒｏｕｔｅｒ：以下「ＥＲ」という）３−１とＥＲ４を介して、または、端末１が移動していってＥＲ３−ｎとＥＲ４を介して通信を行うとしている。
【００５４】
そして、端末１，２間のＳＩＰ手順によるセッションの確立・解放を司るＳＩＰサーバとして、ＩＰコアネットワークの中央に位置するＳＩＰサーバであるＳ−ＣＳＣＦ６と、ＩＰコアネットワークのエッジに位置するＳＩＰサーバであるＰ−ＣＳＣＦ５−１〜Ｐ−ＣＳＣＦ５−ｎとＰ−ＣＳＣＦ７とが示されている。なお、中央に位置するＳＩＰサーバ（Ｓ−ＣＳＣＦ）は、図１〜図５では、１つが示されているが、２以上が配置される場合もある。Ｐ−ＣＳＣＦ５−１〜Ｐ−ＣＳＣＦ５−ｎは、ＥＲ３−１〜ＥＲ３−ｎと１対１対応で存在している。Ｐ−ＣＳＣＦ７は、ＥＲ４に対応して存在している。
【００５５】
ＳＩＰサーバ（Ｐ−ＣＳＣＦ５−１〜Ｐ−ＣＳＣＦ５−ｎ、Ｓ−ＣＳＣＦ６、Ｐ−ＣＳＣＦ７）は、３ＧＰＰで規定された機能（図１２参照）に加えて、この発明では、実施の形態１〜４で説明する各種の機能を持っている。また、ＳＩＰサーバがネットワークにおけるセッションのリソースを確保するためのＱｏＳポリシー情報をこの明細書では、Ｃｏｎｔｅｘｔと称し、具体的に、次のように規定している。
【００５６】
すなわち、Ｃｏｎｔｅｘｔは、セッションのストリームを転送するためのフィルタ条件、出力インタフェース、およびセッションのために出力インタフェースまたはＲＦＣ３０３１（Ｍｕｌｔｉｐｒｏｔｏｃｏｌ　Ｌａｂｅｌ　Ｓｗｉｔｃｈｉｎｇ　Ａｒｃｈｉｔｅｃｔｕｒｅ）に規定されるＬＳＰ（Ｌａｂｅｌ　Ｓｗｉｔｃｈｅｄ　Ｐａｔｈ）に割り当てられているリソース量を含む。
【００５７】
この実施の形態１では、移動体である端末１が、ＥＲ３−１からＥＲ３−ｎに移動する場合に、移動元のＥＲ３−１と移動先のＥＲ３−ｎとの間で、セッション制御情報を受け渡す場合の処理が示されている。セッション制御情報は、セッションを識別するためのセッション識別子等を含み、さらにＳＩＰ手順によるセッションのストリームを転送するトランスポートプロトコルに関する情報、符号化方法などを含んでいる。セッション識別子は、ＳＩＰのＣａｌｌ　ＩＤと発呼端末上の発呼ユーザとの組で識別される。なお、以降の説明では、セッションはＳ、セッション制御情報はＳＩ、セッション識別子はＳＩＤと表記している。この明細書では、説明を単純化するため、１つのセッションを扱っているので、セッションＳ１に対し、セッション制御情報ＳＩ１、セッション識別子ＳＩＤ１と表記されている。そして、セッション識別子は、セッション制御情報と１対１に対応しているので、対応関係の明示は省略している。勿論、この発明は、複数のセッションに対して適用できるものである。その場合には、セッションＳ１〜Ｓｎに対し、セッション制御情報ＳＩ１〜ＳＩｎ、セッション識別子ＳＩＤ１〜ＳＩＤｎと表記されることになる。
【００５８】
図１に沿って、端末１，２間のＳＩＰセッション確立時の処理内容を説明する。ステップＳＴ１（Ｓ１確立）では、セッションＳ１を確立するために、端末１と端末２との間でセッションＳ１を確立するためセッション制御メッセージが交換される。このセッション制御メッセージは、Ｐ−ＣＳＣＦ５−１、Ｓ−ＣＳＣＦ６，Ｐ−ＣＳＣＦ７を経由して転送される。すなわち、端末１から端末２宛のセッション制御メッセージは、まずＰ−ＣＳＣＦ５−１に送信され、その後Ｓ−ＣＳＣＦ６、Ｐ−ＣＳＣＦ７を経由し、端末２に伝達される。端末２から端末１宛のセッション制御メッセージは、逆の経路で伝送される。このセッション制御メッセージには、端末１，２の端末識別子Ｔ１，Ｔ２が含まれている。端末識別子は、ネットワーク内で端末を一意に特定できるように、端末に予め設定されている識別子である。例えば、ＩＰアドレス等が該当する。
【００５９】
Ｐ−ＣＳＣＦ５−１とＰ−ＣＳＣＦ７は、Ｓ−ＣＳＣＦ６と連携してセッションＳ１の確立処理を行う。その際に、Ｐ−ＣＳＣＦ５−１とＰ−ＣＳＣＦ７は、端末１，２が送信するセッション制御メッセージから、端末識別子Ｔ１，Ｔ２と、端末１，２間のネゴシエーションで確定されたセッションＳ１のセッション制御情報ＳＩ１とを取得する。そして、Ｐ−ＣＳＣＦ５−１は、取得したセッション制御情報ＳＩ１に基づき、ＥＲ３−１からＥＲ４に向かうストリームでのＣｏｎｔｅｘｔＣ１−１を生成して記憶するとともに、ＥＲ３−１に設定する（ステップＳＴ２）。それに従いＥＲ３−１は、ＣｏｎｔｅｘｔＣ１−１を確保する（ステップＳＴ３（確保））。
【００６０】
同様に、Ｐ−ＣＳＣＦ７は、取得したセッション制御情報ＳＩ１に基づき、ＥＲ４からＥＲ３−１に向かうストリームでのＣｏｎｔｅｘｔＣ２−１を生成して記憶するとともに、ＥＲ４に設定する（ステップＳＴ４）。それに従いＥＲ４は、ＣｏｎｔｅｘｔＣ２−１を確保する（ステップＳＴ５（確保））。
【００６１】
ここで、Ｐ−ＣＳＣＦ５−１とＰ−ＣＳＣＦ７が記憶する内容は、次の（１）〜（４）である。すなわち、Ｐ−ＣＳＣＦ５−１とＰ−ＣＳＣＦ７は、（１）自身の制御対象であるＥＲが収容する端末の端末識別子と、（２）セッションの対向端末の端末識別子と、（３）セッション制御情報ＳＩ１と、（４）そのセッション制御情報ＳＩ１とＣｏｎｔｅｘｔの対応関係とを記憶するようになっている。
【００６２】
つまり、今の例では、Ｐ−ＣＳＣＦ５−１は、「Ｔ１，Ｔ２，ＳＩ１，Ｃ１−１」を記憶し、Ｐ−ＣＳＣＦ７は、「Ｔ２，Ｔ１，ＳＩ１，Ｃ２−１」を記憶することになる。但し、Ｐ−ＣＳＣＦ５−１がＥＲ３−１に設定する内容は、「Ｔ１，Ｔ２，ＳＩ１，Ｃ１−１」、または、「Ｔ１，Ｔ２，Ｃ１−１」のいずれか一方である（ステップＳＴ２）。同様に、Ｐ−ＣＳＣＦ７がＥＲ４に設定する内容は、「Ｔ２，Ｔ１，ＳＩ１，Ｃ２−１」、または、「Ｔ２，Ｔ１，Ｃ２−１」のいずれか一方である（ステップＳＴ５）。これらは、システムの特性によるものである。ここでは、ＥＲ３−１には、「Ｔ１，Ｔ２，Ｃ１−１」が設定されるとし、ＥＲ４には、「Ｔ２，Ｔ１，Ｃ２−１」が設定されるものとして、以降説明する。
【００６３】
次に、図２に沿って、ＥＲ３−１が端末１の移動予知検出時の処理について説明する。その前に用語の説明等を行う。移動予知検出とは、ＥＲが、自身に接続している端末が、他のＥＲに移動する前兆を予知することである。また、後述する移動完了検出とは、ＥＲが、他のＥＲから端末が移動してきて自身に接続したことを検出することである。この移動予知検出及び移動完了検出は、例えば３ＧＰＰのＴＳ２５．４１３　“ＲＡＮＡＰ　Ｉｕ　Ｉｎｔｅｒｆａｃｅ　ＲＡＮＡＰ　Ｓｉｇｎａｌｉｎｇ”で規定されている無線リソース予約メッセージ受信によって行える。具体的に言えば、移動予知検出はＲｅｌｏｃａｔｉｏｎ　Ｒｅｑｕｉｒｅｄメッセージ受信によって可能であり、移動完了検出はＲｅｌｏｃａｔｉｏｎ　Ｄｅｔｅｃｔメッセージ，或いはＲｅｌｏｃａｔｉｏｎ　Ｃｏｍｐｌｅｔｅメッセージの受信によって可能である。
【００６４】
さて、ＥＲ３−１は、端末１が移動しそうだという移動予知検出を行うと（ステップＳＴ５）、セッション制御情報ＳＩ１が記憶されているか否かを判断する。ここでは上記のように、セッション制御情報ＳＩ１が設定されていないので、そのセッション制御情報ＳＩ１を取得するために、Ｐ−ＣＳＣＦ５−１に対し端末１の移動予知検出を通知する（ステップＳＴ６）。
【００６５】
Ｐ−ＣＳＣＦ５−１は、端末１の移動予知検出通知を受けて、端末１の識別子Ｔ１に基づき相手端末の識別子Ｔ２とセッション制御情報ＳＩ１とを取得し、ＥＲ３−１に対し通知する（ステップＳＴ７）。このように、ＥＲ３−１は、セッション制御情報ＳＩ１が設定されなかった場合には、ステップＳＴ６の処理によってセッション制御情報ＳＩ１を取得する。次に、ＥＲ３−１は、ＥＲ３−ｎに対し、端末識別子Ｔ１，Ｔ２と取得したセッション制御情報ＳＩ１とを転送する（ステップＳＴ８）。
【００６６】
次に、ＥＲ３−ｎは、Ｐ−ＣＳＣＦ５−ｎに対し、端末識別子Ｔ１，Ｔ２とセッション制御情報ＳＩ１とを通知する（ステップＳＴ９）。Ｐ−ＣＳＣＦ５−ｎは、受信通知の内容からＣｏｎｔｅｘｔＣ１−ｎを生成して記憶するとともに、ＥＲ３−ｎに設定する（ステップ１０）。それに従いＥＲ３−ｎはＣｏｎｔｅｘｔＣ１−ｎを確保する（ステップ１１（確保））。
【００６７】
ここで、Ｐ−ＣＳＣＦ５−ｎの記憶内容は、「Ｔ１，Ｔ２，ＳＩ１，Ｃ１−ｎ」である。ＥＲ３−ｎへの設定内容は、前述と同様に、「Ｔ１，Ｔ２，ＳＩ１，Ｃ１−ｎ」、または、「Ｔ１，Ｔ２，Ｃ１−ｎ」のいずれか一方である。ここでは、前述の図１の説明におけるＥＲ３−１，ＥＲ４への設定と同様に、ＥＲ３−ｎには、「Ｔ１，Ｔ２，Ｃ１−ｎ」が設定されるとして以降説明する。なお、以降、これらの記憶内容は維持される。
【００６８】
次に、図３に沿って、ＥＲ３−１での端末１の移動予知検出からＥＲ３−ｎでの移動完了検出までの間に、セッションの相手である端末２に対し端末１の移動通知を行う処理を説明する。この移動通知は、端末１宛のパケットを端末１の移動先（ＥＲ３−ｎ）にルーティングするように要求するものである。したがって、この移動通知は、例えば、Ｍｏｂｉｌｅ　ＩＰのＲｅｇｉｓｔｒａｔｉｏｎメッセージ等が該当する。
【００６９】
端末１またはＥＲ３−ｎ（またはＥＲ３−１）は、ＥＲ３−１での端末１の移動予知検出からＥＲ３−ｎでの移動完了検出までの間に、ＥＲ４または端末２に対し、端末１の端末識別子Ｔ１を含む端末１の移動通知を行う（ステップＳＴ１３）。ＥＲ４は、端末１の移動通知を受信すると、その端末１の移動通知をＰ−ＣＳＣＦ７に対しそれを通知する（ステップＳＴ１４）。
【００７０】
次に、Ｐ−ＣＳＣＦ７は、受信通知の内容と端末１に関する前記の記憶内容とに基づき、ＥＲ４からＥＲ３−ｎに向かうストリームでのＣｏｎｔｅｘｔＣ２−ｎを生成して記憶するとともに、ＥＲ４に設定し、またＣｏｎｔｅｘｔＣ２−１の解放を要求する（ステップＳＴ１５）。それに従いＥＲ４は、ＣｏｎｔｅｘｔＣ２−ｎを確保し（ステップＳＴ１６（確保））、また、ＣｏｎｔｅｘｔＣ２−１を解放する（ステップＳＴ１７（解放））。
【００７１】
ここで、Ｐ−ＣＳＣＦ７の記憶内容は、「Ｔ２，Ｔ１，ＳＩ１，Ｃ２−ｎ」である。ＥＲ４への設定内容は、前述と同様に、「Ｔ２，Ｔ１，ＳＩ１，Ｃ２−ｎ」、または、「Ｔ２，Ｔ１，Ｃ２−ｎ」のいずれか一方である。ここでは、前述の図１の説明におけるＥＲ−１，ＥＲ４への設定と同様に、ＥＲ３−ｎには、「Ｔ１，Ｔ２，Ｃ２−ｎ」が設定されるとして以降説明する。なお、以降、これらの記憶内容は維持される。
【００７２】
次に、図４に沿って、移動先であるＥＲ３−ｎでの端末１の移動完了検出時の処理について説明する。ＥＲ３−ｎは、端末１の移動完了を検出すると（ステップＳＴ１９）、移動してきた端末１にＰ−ＣＳＣＦ５−ｎのアドレスを通知する（ステップＳＴ２０）。これによって、端末１は、Ｐ−ＣＳＣＦ５−ｎを経由してＳ−ＣＳＣＦ６に対し登録処理（ＳＩＰ　Ｒｅｇｉｓｔｒａｔｉｏｎ）を実行する（ステップＳＴ２１）。Ｓ−ＣＳＣＦ６は、受け取ったＳＩＰ　Ｒｅｇｉｓｔｒａｔｉｏｎメッセージの内容に基づき、そのＳＩＰ　ＲｅｇｉｓｔｒａｔｉｏｎメッセージがＰ−ＣＳＣＦ５−ｎを経由してきたことを認識する。Ｓ−ＣＳＣＦ６は、以降の端末１宛のＳＩＰ制御メッセージをＰ−ＣＳＣＦ５−ｎに転送することになる。
【００７３】
次に、ＥＲ３−ｎは、ＥＲ３−１に対し端末１の移動完了検出を通知する（ステップＳＴ２２）。これによって、ＥＲ３−１は、通知を受けた端末１の端末識別子Ｔ１に基づきＣｏｎｔｅｘｔＣ１−１を取得して解放し（ステップＳＴ２３（解放））、端末１に関する前記記憶内容を削除する。そして、ＥＲ３−１は、Ｐ−ＣＳＣＦ５−１に対し端末１の移動完了検出を通知する（ステップＳＴ２４）。これによって、Ｐ−ＣＳＣＦ５−１は、端末１に関する前記記憶内容を削除する。
【００７４】
次に、図５に沿って端末移動完了検出後のＳＩＰセッション解放時の処理について説明する。ステップＳＴ２７（Ｓ１解放）では、セッションＳ１を解放するために、端末１と端末２との間でセッションＳ１を解放するためのセッション制御メッセージが交換される。このセッション制御メッセージは、Ｐ−ＣＳＣＦ５−ｎ、Ｓ−ＣＳＣＦ６、Ｐ−ＣＳＣＦ７を経由して転送される。すなわち、端末１から端末２宛のセッション制御メッセージは、まず端末１からＰ−ＣＳＣＦ５−ｎに送信され、その後Ｓ−ＣＳＣＦ６、Ｐ−ＣＳＣＦ７を経由して端末２に伝達される。一方、端末２から端末１宛のセッション制御メッセージは、端末２からＰ−ＣＳＣＦ７を経由してＳ−ＣＳＣＦ６に送信される。Ｓ−ＣＳＣＦ６は、受信したセッション制御メッセージを端末１から最後にＳＩＰ　Ｒｅｇｉｓｔｒａｔｉｏｎを受信したＰ−ＣＳＣＦ、つまりＰ−ＣＳＣＦ５−ｎに送信し、最終的に移動先の端末１に転送される。
【００７５】
そして、Ｐ−ＣＳＣＦ５−ｎは、セッション制御情報ＳＩ１に関する記憶内容からＣｏｎｔｅｘｔＣ１−ｎを取得し、ＥＲ３−ｎに対し、ＣｏｎｔｅｘｔＣ１−ｎの解放を要求するとともに（ステップＳＴ２８）、ＣｏｎｔｅｘｔＣ１−ｎに関する前記記憶内容を削除する。それに従いＥＲ３−ｎは、ＣｏｎｔｅｘｔＣ１−ｎを解放するとともに（ステップＳＴ２９（解放））、ＣｏｎｔｅｘｔＣ１−ｎに関する前記記憶内容を削除する。
【００７６】
また、Ｐ−ＣＳＣＦ７は、セッション制御情報ＳＩ１に関する記憶からＣｏｎｔｅｘｔＣ２−ｎを取得し、ＥＲ４に対し、ＣｏｎｔｅｘｔＣ２−ｎの解放を要求するとともに（ステップＳＴ３０）、ＣｏｎｔｅｘｔＣ２−ｎに関する前記記憶内容を削除する。それに従いＥＲ４は、ＣｏｎｔｅｘｔＣ２−ｎを解放するとともに（ステップＳＴ３１（解放））、ＣｏｎｔｅｘｔＣ２−ｎに関する前記記憶内容を削除する。
【００７７】
以上の処理によって、この発明が解決しようとする課題、つまりセッション制御とＱｏＳポリシー情報（Ｃｏｎｔｅｘｔ）の制御との連動した動作が可能である。なお、以上の説明では、端末が単一のセッションＳ１を設定している場合について説明したが、この発明は、移動端末が複数セッションＳ１〜Ｓｎを設定している場合についても同様に適用可能である。その場合には、セッションＳ１〜Ｓｎの各々についてＱｏＳポリシー情報（Ｃｏｎｔｅｘｔ）を上記と同様の手順で制御すればよい。
【００７８】
実施の形態２．
図６、図７は、この発明の実施の形態２である移動体ネットワークにおける帯域制御方法を説明するシステム図である。なお、図６は、移動元エッジルータでの端末の移動予知検出時の処理を説明するシステム図である。図７は、移動先エッジルータでの端末の移動完了検出時の処理を説明するシステム図である。
【００７９】
この実施の形態２では、実施の形態１に示した構成において、端末１が、ＥＲ３−１からＥＲ３−ｎに移動する場合に、移動元のＰ−ＣＳＣＦ５−１と移動先のＰ−ＣＳＣＦ５−ｎとの間で、セッション制御情報を受け渡す処理が示されている。システムの構成要素は、実施の形態１と同様である。ここでは、実施の形態２に関わる部分を中心に説明する。
【００８０】
図６に沿って、移動元のＥＲ３−１での端末１の移動予知検出時の処理を説明する。端末１，２間のＳＩＰセッション確立時の処理が実施の形態１で説明した手順で実行された後において、ＥＲ３−１は、実施の形態１で説明した方法で端末１の移動予知検出を行うと（ステップＳＴ３３）、Ｐ−ＣＳＣＦ５−１に対し端末１の移動予知検出を行った旨を通知する（ステップＳＴ３４）。それを受けてＰ−ＣＳＣＦ５−１は、通知された端末１の端末識別子Ｔ１に基づき端末識別子Ｔ２とセッション制御情報ＳＩ１とを取得し、Ｐ−ＣＳＣＦ５−ｎに対し、端末識別子Ｔ１，Ｔ２とセッション制御情報ＳＩ１とを通知する（ステップＳＴ３５）。
【００８１】
Ｐ−ＣＳＣＦ５−ｎは、受信通知の内容に基づきＣｏｎｔｅｘｔＣ１−ｎを生成して記憶するとともに、ＥＲ３−ｎに設定する（ステップＳＴ３６）。それに従いＥＲ３−ｎはＣｏｎｔｅｘｔＣ１−ｎを確保する（ステップＳＴ３７（確保））。Ｐ−ＣＳＣＦ５−ｎは、「Ｔ１，Ｔ２，ＳＩ１，Ｃ１−ｎ」を記憶する。Ｐ−ＣＳＣＦ５−ｎがＥＲ３−ｎに設定する内容は、「Ｔ１，Ｔ２，ＳＩ１，Ｃ１−ｎ」、または、「Ｔ１，Ｔ２，Ｃ１−ｎ」のいずれか一方である。ここでは、ＥＲ３−ｎには、「Ｔ１，Ｔ２，Ｃ１−ｎ」が設定されるものとして以降説明する。
【００８２】
以降、Ｐ−ＣＳＣＦ５−ｎとＥＲ３−ｎは、それぞれの記憶内容を保持する。なお、その後、ＥＲ４または端末２への端末１の移動通知の処理が、実施の形態１で説明した手順で実行されることになる。
【００８３】
ここで、ステップＳＴ３５では、Ｐ−ＣＳＣＦ５−１は、Ｐ−ＣＳＣＦ５−ｎのアドレスを、例えば、次の方法で取得するとしている。すなわち、Ｐ−ＣＳＣＦ５−１は、近隣のＰ−ＣＳＣＦ（図示例では、Ｐ−ＣＳＣＦ５−２〜Ｐ−ＣＳＣＦ５−ｎを含んでいる）のアドレスを知るために、近隣のＥＲとＰ−ＣＳＣＦとの対応表を保持している。ＥＲ３−１は、ステップＳＴ３４にてＰ−ＣＳＣＦ５−１に端末１の移動予知検出を通知するときに、移動先であるＥＲ３−ｎのアドレスを含めて通知する。これによって、Ｐ−ＣＳＣＦ５−１は、Ｐ−ＣＳＣＦとＥＲとの対応表と、この通知された移動先ＥＲ３−ｎのアドレスとに基づき、移動先Ｐ−ＣＳＣＦ５−ｎのアドレスを取得する。
【００８４】
次に、図７に沿って移動先のＥＲ３−ｎでの端末１の移動完了検出時の処理を説明する。ＥＲ３−ｎは、端末１の移動完了を検出すると（ステップＳＴ３９）、移動してきた端末１に対しＰ−ＣＳＣＦ５−ｎのアドレスを通知する（ステップＳＴ４０）。これによって、端末１は、Ｐ−ＣＳＣＦ５−ｎを経由してＳ−ＣＳＣＦ６に対し登録処理（ＳＩＰ　Ｒｅｇｉｓｔｒａｔｉｏｎ）を実行する（ステップＳＴ４１）。Ｓ−ＣＳＣＦ６は、受け取ったＳＩＰ　Ｒｅｇｉｓｔｒａｔｉｏｎメッセージの内容に基づき、そのＳＩＰ　ＲｅｇｉｓｔｒａｔｉｏｎメッセージがＰ−ＣＳＣＦ５−ｎを経由してきたことを認識する。Ｓ−ＣＳＣＦ６は、以降の端末１宛のＳＩＰ制御メッセージをＰ−ＣＳＣＦ５−ｎに転送することになる。
【００８５】
次に、ＥＲ３−ｎは、Ｐ−ＣＳＣＦ５−ｎに対し端末１の移動完了検出を通知する（ステップＳＴ４２）。Ｐ−ＣＳＣＦ５−ｎは、Ｐ−ＣＳＣＦ５−１に対し端末１の移動完了検出を通知する（ステップＳＴ４３）。これによって、Ｐ−ＣＳＣＦ５−１は、通知を受けた端末１の端末識別子Ｔ１に基づきＣｏｎｔｅｘｔＣ１−１を取得し、ＥＲ３−１に対し、ＣｏｎｔｅｘｔＣ１−１の解放を要求するとともに（ステップＳＴ４４）、端末１に関する前記記憶内容を削除する。それに従いＥＲ３−１は、ＣｏｎｔｅｘｔＣ１−１を解放するとともに（ステップＳＴ４５（解放））、端末１に関する前記記憶内容を削除する。なお、ＳＩＰセッション解放時の処理は、実施の形態１と同様の手順で実行される。
【００８６】
ここで、ステップＳＴ４３では、Ｐ−ＣＳＣＦ５−ｎは、Ｐ−ＣＳＣＦ５−１のアドレスを、例えば、次の方法で取得するとしている。すなわち、ＥＲ３−ｎは、ステップＳＴ４２にてＰ−ＣＳＣＦ５−ｎに対し端末１の移動完了検出を通知するときに、移動元であるＥＲ３−１のアドレスを含めて通知する。Ｐ−ＣＳＣＦ５−ｎは、上記したＰ−ＣＳＣＦとＥＲとの対応表と、この通知された移動元ＥＲ３−１のアドレスとに基づき移動元Ｐ−ＣＳＣＦ５−１のアドレスを取得する。
【００８７】
以上の処理によって、実施の形態２においても実施の形態１と同様に、この発明が解決しようとする課題、つまりセッション制御とＱｏＳポリシー情報（Ｃｏｎｔｅｘｔ）の制御との連動した動作が可能である。
【００８８】
なお、以上の説明では、端末が単一のセッションＳ１を設定している場合について説明したが、実施の形態１と同様に、移動端末が複数セッションＳ１〜Ｓｎを設定している場合についても同様に適用可能である。その場合には、セッションＳ１〜Ｓｎの各々についてＱｏＳポリシー情報（Ｃｏｎｔｅｘｔ）を上記と同様の手順で制御すればよい。
【００８９】
実施の形態３．
図８は、この発明の実施の形態３である移動体ネットワークにおける帯域制御方法を説明するシステム図である。この実施の形態３では、実施の形態１に示した構成において、ＥＲ３−１での端末１の移動予知検出からＥＲ３−ｎでの移動完了検出までの間に、ＳＩＰセッション解放処理が実行された場合の処理例が示されている。システムの構成要素は、実施の形態１と同様である。ここでは、実施の形態３に関わる部分を中心に説明する。
【００９０】
図８において、ステップＳＴ４６（Ｓ１解放）では、セッションＳ１を解放するために、端末１と端末２との間でセッションＳ１を解放するためのセッション制御メッセージが交換される。このセッション制御メッセージは、Ｐ−ＣＳＣＦ５−１、Ｓ−ＣＳＣＦ６、Ｐ−ＣＳＣＦ７を経由して転送される。すなわち、端末１から端末２へのセッション制御メッセージは、Ｐ−ＣＳＣＦ５−１に送信され、その後Ｓ−ＣＳＣＦ６、Ｐ−ＣＳＣＦ７を経由して端末２に伝達される。端末２から端末１へのセッション制御メッセージは、この逆の経路で端末１に伝達される。その際に、Ｐ−ＣＳＣＦ５−ｎとＰ−ＣＳＣＦ７は、セッション制御メッセージからセッション識別子ＳＩＤ１を取得し、セッション制御情報ＳＩ１を得る。
【００９１】
そして、Ｐ−ＣＳＣＦ５−１は、セッション制御情報ＳＩ１に関する記憶内容からＣｏｎｔｅｘｔＣ１−１を取得し、ＥＲ３−１に対し、ＣｏｎｔｅｘｔＣ１−１の解放を要求するとともに（ステップＳＴ４７）、ＣｏｎｔｅｘｔＣ１−１に関する前記記憶内容を削除する。それに従いＥＲ３−１は、ＣｏｎｔｅｘｔＣ１−１を解放するとともに（ステップＳＴ４８（解放））、ＣｏｎｔｅｘｔＣ１−１に関する前記記憶内容を削除する。
【００９２】
それと並行してＰ−ＣＳＣＦ５−１は、Ｐ−ＣＳＣＦ５−ｎに対しセッションＳ１の解放要求を通知する（ステップＳＴ４９）。Ｐ−ＣＳＣＦ５−ｎは、通知を受けて、セッション制御情報ＳＩ１に関する記憶内容からＣｏｎｔｅｘｔＣ１−ｎを取得し、ＥＲ３−ｎに対し、ＣｏｎｔｅｘｔＣ１−ｎの解放を要求するとともに（ステップＳＴ５０）、ＣｏｎｔｅｘｔＣ１−ｎに関する前記記憶内容を削除する。それに従いＥＲ３−ｎは、ＣｏｎｔｅｘｔＣ１−ｎを解放するとともに（ステップＳＴ５１（解放））、ＣｏｎｔｅｘｔＣ１−ｎに関する前記記憶内容を削除する。
【００９３】
また、Ｐ−ＣＳＣＦ７は、セッション制御情報ＳＩ１に関する記憶内容からＣｏｎｔｅｘｔＣ２−１（またはＣｏｎｔｅｘｔＣ２−ｎ）を取得し、ＥＲ４に対し、ＣｏｎｔｅｘｔＣ２−１（またはＣｏｎｔｅｘｔＣ２−ｎ）の解放を要求するとともに（ステップＳＴ５２）、ＣｏｎｔｅｘｔＣ２−１（またはＣｏｎｔｅｘｔＣ２−ｎ）に関する前記記憶内容を削除する。それに従いＥＲ４では、ＣｏｎｔｅｘｔＣ２−１（またはＣｏｎｔｅｘｔＣ２−ｎ）を解放するとともに（ステップＳＴ５３（解放））、ＣｏｎｔｅｘｔＣ２−１（またはＣｏｎｔｅｘｔＣ２−ｎ）に関する前記記憶内容を削除する。
【００９４】
以上の処理によって、移動元エッジルータでの端末の移動予知検出から移動先エッジルータでの端末の移動完了検出までの間に、ＳＩＰセッション解放処理が行われた場合においても、当該セッションに関連付けられたＱｏＳポリシー情報（Ｃｏｎｔｅｘｔ）を全て解放できるので、セッション制御とＱｏＳポリシー情報（Ｃｏｎｔｅｘｔ）の制御との連動した動作が可能である。
【００９５】
なお、以上の説明では、端末が単一のセッションＳ１を設定している場合について説明したが、実施の形態１，２と同様に、移動端末が複数セッションＳ１〜Ｓｎを設定している場合についても同様に適用可能である。その場合には、セッションＳ１〜Ｓｎの各々についてＱｏＳポリシー情報（Ｃｏｎｔｅｘｔ）を上記と同様の手順で制御すればよい。
【００９６】
実施の形態４．
図９〜図１１は、この発明の実施の形態４である移動体ネットワークにおける帯域制御方法を説明するシステム図である。なお、図９は、移動元側のＳＩＰサーバ（Ｐ−ＣＳＣＦ５−１）が移動先側のＳＩＰサーバ（Ｐ−ＣＳＣＦ５−ｎ）のアドレスを取得する処理を説明するシステム図である。図１０は、移動先側のＳＩＰサーバ（Ｐ−ＣＳＣＦ５−ｎ）が移動元側のＳＩＰサーバ（Ｐ−ＣＳＣＦ５−１）のアドレスを取得する処理（その１）を説明するシステム図である。図１１は、移動先側のＳＩＰサーバ（Ｐ−ＣＳＣＦ５−ｎ）が移動元側のＳＩＰサーバ（Ｐ−ＣＳＣＦ５−１）のアドレスを取得する処理（その２）を説明するシステム図である。システムの構成要素は、実施の形態１と同様である。ここでは、実施の形態４に関わる部分を中心に説明する。
【００９７】
図９に沿って、移動元側のＳＩＰサーバ（Ｐ−ＣＳＣＦ５−１）が移動先側のＳＩＰサーバ（Ｐ−ＣＳＣＦ５−ｎ）のアドレスを取得する処理を説明する。移動元のＥＲ３−１は、端末１の移動予知検出を行うと（ステップＳＴ５５）、移動先であるＥＲ３−ｎに対し、自身を制御するＰ−ＣＳＣＦ５−ｎのアドレスを要求する（ステップＳＴ５６）。ＥＲ３−ｎは、要求をうけて、自身を制御するＰ−ＣＳＣＦ５−ｎのアドレスをＥＲ３−１に対し返答する（ステップＳＴ５７）。ＥＲ３−１は、受け取ったＰ−ＣＳＣＦ５−ｎのアドレスを自身を制御するＰ−ＣＳＣＦ５−１に対し通知する（ステップＳＴ５８）。
【００９８】
次に、図１０に沿って、移動先側のＳＩＰサーバ（Ｐ−ＣＳＣＦ５−ｎ）が移動元側のＳＩＰサーバ（Ｐ−ＣＳＣＦ５−１）のアドレスを取得する処理（その１）を説明する。移動先のＥＲ３−ｎは、端末１の移動完了を検出すると（ステップＳＴ６０）、移動元であるＥＲ３−１に対し、自身を制御するＰ−ＣＳＣＦ５−１のアドレスを要求する（ステップＳＴ６１）。ＥＲ３−１は、要求を受けて、自身を制御するＰ−ＣＳＣＦ５−１のアドレスをＥＲ３−ｎに対し返答する（ステップＳＴ６２）。ＥＲ３−ｎは、受け取ったＰ−ＣＳＣＦ５−１のアドレスを自身を制御するＰ−ＣＳＣＦ５−ｎに対し通知する（ステップＳＴ６３）。
【００９９】
次に、図１１に沿って、移動先側のＳＩＰサーバ（Ｐ−ＣＳＣＦ５−ｎ）が移動元側のＳＩＰサーバ（Ｐ−ＣＳＣＦ５−１）のアドレスを取得する処理（その２）を説明する。移動元のＥＲ３−１は、端末１の移動予知検出を行うと（ステップＳＴ６５）、自身を制御するＰ−ＣＳＣＦであるＰ−ＣＳＣＦ５−１のアドレスを移動先であるＥＲ３−ｎに対して通知する（ステップＳＴ６６）。ＥＲ３−ｎは、受け取ったＰ−ＣＳＣＦ５−１のアドレスを自身を制御するＰ−ＣＳＣＦ５−ｎに対し通知する（ステップＳＴ６７）。
【０１００】
以上の処理によって、実施の形態２においては、Ｐ−ＣＳＣＦは、近隣のＥＲとＰ−ＣＳＣＦとの対応表を保持している必要があったが、この実施の形態４では、その対応表を保持する必要が無いという効果が得られる。
【０１０１】
【発明の効果】
以上説明したように、この発明によれば、複数のエッジルータの中の第１エッジルータにアクセスする移動端末である第１端末と複数のエッジルータの中の第２エッジルータにアクセスする移動端末または固定端末である第２端末との間でセッション制御メッセージが交換され、セッション確立要求があると、前記第１エッジルータが対応付けられている第１エッジサーバ、１以上のコアサーバおよび前記第２エッジルータが対応付けられている第２エッジサーバが相互に連系して端末間のセッション確立処理が行われる。そのセッション確立処理の過程で、第１エッジサーバと第２エッジサーバでは、セッション確立要求であるセッション制御メッセージから第１端末と第２端末それぞれの端末識別子とセッション制御情報とが取得される。そして、第１エッジサーバでは、取得したセッション制御情報に基づき、第１端末から第２端末に向かうストリームの第１ＱｏＳポリシー情報が生成されるとともに、第１ＱｏＳポリシー情報と両端末の端末識別子とセッション制御情報とが記憶される。並行して、第１エッジサーバでは、第１エッジルータに対し、第１ＱｏＳポリシー情報と両端末の端末識別子とセッション制御情報との組、または、前記第１ＱｏＳポリシー情報と両端末の端末識別子との組のいずれか一方の組が設定される。同様に、第２エッジサーバでは、取得したセッション制御情報に基づき、第２端末から第１端末に向かうストリームの第２ＱｏＳポリシー情報が生成されるとともに、第２ＱｏＳポリシー情報と両端末の端末識別子とセッション制御情報とが記憶される。並行して第２エッジサーバでは、第２エッジルータに対し、第２ＱｏＳポリシー情報と両端末の端末識別子とセッション制御情報との組、または、第２ＱｏＳポリシー情報と両端末の端末識別子との組のいずれか一方の組が設定される。このように、セッション確立処理の過程で、対応するエッジサーバおよびエッジルータには、少なくとも、端末識別子とセッション制御情報とＱｏＳポリシー情報とが関連付けて記憶・保持させることができる。
【０１０２】
つぎの発明によれば、上記の発明において、第１エッジルータでは、第１端末の移動予知検出が行われた場合に、セッション制御情報の記憶有無が判断され、その結果、セッション制御情報を記憶していないときに第１エッジサーバに対し第１端末の移動予知検出の通知が行われ、第１エッジサーバから、第２端末の端末識別子と前記セッション制御情報とが取得される。ついで、第１エッジルータから第１端末の移動先である第３エッジルータに対し、両端末の識別子とセッション制御情報とが通知され、それが第３エッジルータから複数のエッジサーバの中の対応する第３エッジサーバに転送される。斯くして、第３エッジサーバでは、第３エッジルータに移動して来ると予定される第１端末から第２端末に向かうストリームの第３ＱｏＳポリシー情報が第３エッジルータから送られてきたセッション制御情報に基づき生成され、併せて第３ＱｏＳポリシー情報と両端末の端末識別子とセッション制御情報とが記憶される。並行して、第３エッジサーバでは、第３エッジルータに対し、第３ＱｏＳポリシー情報と両端末の端末識別子とセッション制御情報との組、または、第３ＱｏＳポリシー情報と両端末の端末識別子との組のいずれか一方の組が設定される。このように、端末の移動元のエッジルータから移動先のエッジルータにセッション維持に必要な情報が送られ、移動先において、対応するエッジサーバおよびエッジルータには、少なくとも、端末識別子とセッション制御情報とＱｏＳポリシー情報とが関連付けられて記憶される。したがって、移動先においても、第１端末と第２端末との間のセッション制御とＱｏＳポリシー情報の制御とが連動して行えるようになる。
【０１０３】
つぎの発明によれば、上記の発明において、第１エッジルータでは、第１端末の移動予知検出が行われた場合に、第１エッジサーバに対し第１端末の移動予知検出の通知が行われる。すると、第１エッジサーバでは、第１エッジルータから通知された第１端末の端末識別子に基づき第２端末の端末識別子とセッション制御情報とが取得され、第１端末の移動先である第３エッジルータに対応する前記複数のエッジサーバの中の第３エッジサーバに対し、両端末の端末識別子とセッション制御情報とが通知される。斯くして、第３エッジサーバでは、第３エッジルータに移動して来ると予定される第１端末から第２端末に向かうストリームの第３ＱｏＳポリシー情報が第３エッジルータから送られてきたセッション制御情報に基づき生成され、併せて第３ＱｏＳポリシー情報と両端末の端末識別子とセッション制御情報とが記憶される。並行して、第３エッジサーバでは、第３エッジルータに対し、第３ＱｏＳポリシー情報と両端末の端末識別子とセッション制御情報との組、または、第３ＱｏＳポリシー情報と両端末の端末識別子との組のいずれか一方の組が設定される。このように、端末の移動元のエッジサーバから移動先のエッジサーバにセッション維持に必要な情報が送られ、移動先において、対応するエッジサーバおよびエッジルータには、少なくとも、端末識別子とセッション制御情報とＱｏＳポリシー情報とが関連付けられて記憶される。したがって、移動先においても、第１端末と第２端末との間のセッション制御とＱｏＳポリシー情報の制御とが連動して行えるようになる。
【０１０４】
つぎの発明によれば、上記の発明において、第１端末と第１エッジルータと第３エッジルータとのいずれか一方にて、第２エッジルータまたは第２端末のいずれか一方に対し、第１端末の端末識別子を含む第１端末の移動通知が行われる。その結果、第１端末の移動通知が第２エッジルータから第２エッジサーバに転送され、第２エッジサーバにて、受信した第１端末の移動通知に含まれる第１端末の端末識別子に基づき、第２端末の識別子とセッション制御情報とが取得され、取得されたセッション制御情報に基づき、第２端末から第３エッジルータに移動して来ると予定される第１端末に向かうストリームの第４ＱｏＳポリシー情報が生成され、併せて第４ＱｏＳポリシー情報と両端末の端末識別子とセッション制御情報とが記憶される。並行して、第２エッジサーバから第２エッジルータに対し、第４ＱｏＳポリシー情報と前記両端末の端末識別子とセッション制御情報との組、または、第４ＱｏＳポリシー情報と両端末の端末識別子との組のいずれか一方の組を設定するとともに、第２ＱｏＳポリシー情報が解放される。このように、第１端末が移動する場合には、セッションの相手である第２端末側のエッジサーバとエッジルータにおいて、少なくとも、端末識別子とセッション制御情報とＱｏＳポリシー情報とが関連付けられて記憶され、移動前のＱｏＳポリシー情報が解放される。したがって、セッションの相手である第２端末側のエッジサーバにおいても、移動後における第１端末と第２端末との間のセッション制御とＱｏＳポリシー情報の制御とが連動して行えるようになる。
【０１０５】
つぎの発明によれば、上記の発明において、第３エッジルータでは、第１端末の自エッジルータへの移動処理の完了が検出されると、第１エッジルータに対し第１端末の移動完了が通知される。その結果、移動元側では、第１エッジルータにて、第１ＱｏＳポリシー情報が解放され、第１エッジサーバに対し第１端末の移動完了が通知され、併せて第１端末の端末識別子に関する記憶内容が削除される。また、第１エッジサーバでも、同様に第１端末の端末識別子に関する記憶内容が削除される。このように、第１端末の移動元側では、エッジルータ間の通信によって移動先における移動手続きの完了を通知することができ、不要な情報を削除することができる。
【０１０６】
つぎの発明によれば、上記の発明において、第３エッジルータでは、第１端末の自エッジルータへの移動処理の完了が検出されると、第３エッジサーバに対し第１端末の移動完了が通知される。この第１端末の移動完了通知は、第３エッジサーバから第１エッジサーバに転送される。その結果、第１エッジサーバでは、第１エッジルータに対し第１ＱｏＳポリシー情報の解放が行われ、第１端末の端末識別子に関する記憶内容が削除される。第１エッジルータでも、同様に、第１端末の端末識別子に関する記憶内容が削除される。このように、第１端末の移動元側では、エッジサーバ間の通信によって移動先における移動手続きの完了を通知することができ、不要な情報を削除することができる。
【０１０７】
つぎの発明によれば、上記の発明において、第１エッジルータでの第１端末の移動予知検出から第３エッジルータでの第１端末の移動完了検出までの間に、第１端末と第２端末との間に確立していたセッションが解放された場合には、第１エッジサーバでは、第１エッジルータに対し第１ＱｏＳポリシー情報の解放が行われ、また第１ＱｏＳポリシー情報に関する記憶内容が削除される。これによって、第１エッジルータでは、第１ＱｏＳポリシー情報に関する記憶内容が削除される。並行して、第１エッジサーバから第３エッジサーバに対し、第１端末と第２端末との間のセッションの解放要求が通知される。その結果、第３エッジサーバでは、第３エッジルータに対し第３ＱｏＳポリシー情報の解放が行われ、第３ＱｏＳポリシー情報に関する記憶内容が削除される。これによって、第３エッジルータでも同様に、第３ＱｏＳポリシー情報に関する記憶内容が削除される。また、セッションの相手側では、第２エッジサーバにて、第２エッジルータに対し第２ＱｏＳポリシー情報または第４ＱｏＳポリシー情報の解放が行われ、第２ＱｏＳポリシー情報または第４ＱｏＳポリシー情報に関する記憶内容が削除される。これによって、第２エッジルータでも、同様に、第２ＱｏＳポリシー情報または第４ＱｏＳポリシー情報に関する記憶内容が削除される。このように、第１エッジルータでの第１端末の移動予知検出から第３エッジルータでの第１端末の移動完了検出までの間に、第１端末と第２端末との間に確立していたセッションが解放された場合には、移動元側とセッションの相手側とにおいてＱｏＳポリシー情報の解放・削除を連動して行うことができ、同時に移動先側においても、設定操作されたＱｏＳポリシー情報の解放・削除を連動して行うことができる。
【０１０８】
つぎの発明によれば、上記の発明において、第１端末の移動予知検出前に第１端末と第２端末との間に確立していたセッションが解放された場合には、第１エッジサーバにて、第１エッジルータに対し第１ＱｏＳポリシー情報の解放が行われ、第１ＱｏＳポリシー情報に関する記憶内容が削除される。これによって、第１エッジルータでも、第１ＱｏＳポリシー情報に関する記憶内容が削除される。また、セッションの相手側では、第２エッジサーバにて、第２エッジルータに対し第２ＱｏＳポリシー情報の解放が行われ、第２ＱｏＳポリシー情報に関する記憶内容が削除される。これによって、第２エッジルータでも、第２ＱｏＳポリシー情報に関する記憶内容が削除される。このように、第１エッジルータでの第１端末の移動予知検出が行われる以前に第１端末と第２端末との間に確立していたセッションが解放された場合には、移動元側とセッションの相手側とにおいてＱｏＳポリシー情報の解放・削除を連動して行うことができる。
【０１０９】
つぎの発明によれば、上記の発明において、第１端末の移動完了検出後に第１端末と第２端末との間に確立していたセッションが解放された場合には、第３エッジサーバにて、第３エッジルータに対し第３ＱｏＳポリシー情報の解放が行われ、第３ＱｏＳポリシー情報に関する記憶内容が削除される。これによって、第３エッジルータでも、第３ＱｏＳポリシー情報に関する記憶内容が削除される。また、セッションの相手側では、第２エッジサーバにて、第２エッジルータに対し第４ＱｏＳポリシー情報の解放が行われ、第４ＱｏＳポリシー情報に関する記憶内容が削除される。これによって、第２エッジルータでも、第４ＱｏＳポリシー情報に関する記憶内容が削除される。このように、第３エッジルータでの第１端末の移動完了検出が行われる以後に第１端末と第２端末との間に確立していたセッションが解放された場合には、移動先側とセッションの相手側とにおいてＱｏＳポリシー情報の解放・削除を連動して行うことができる。
【０１１０】
つぎの発明によれば、上記の発明において、第１エッジサーバでは、近隣のエッジルータとエッジサーバの対応関係が設定された対応テーブルが予め用意されており、第１エッジルータから、移動先である第３エッジルータのアドレスを含む第１端末の移動予知検出の通知が送られてくると、受信された第１端末の移動予知検出通知に含まれるアドレスに基づき対応テーブルを参照して第３エッジサーバのアドレスを取得することができる。したがって、第１エッジサーバは、直接第３サーバに対し、両端末の端末の識別子とセッション制御情報とを送ることができる。
【０１１１】
つぎの発明によれば、上記の発明において、第３エッジサーバでは、近隣のエッジルータとエッジサーバの対応関係が設定された対応テーブルが予め用意されており、第３エッジルータから、移動元である第１エッジルータのアドレスを含む第１端末の移動完了検出の通知が送られてくると、受信された第１端末の移動完了検出通知に含まれるアドレスに基づき対応テーブルを参照して第１エッジサーバのアドレスが取得することができる。したがって、第３エッジサーバは、直接第１サーバに対し、両端末の端末の識別子とセッション制御情報とを送ることができる。
【０１１２】
つぎの発明によれば、上記の発明において、第１エッジルータでは、第１端末の移動予知検出が行われると、移動先である第３エッジルータに対し自エッジルータに対応するエッジサーバのアドレスを要求し、第３エッジルータから、対応するエッジサーバである第３エッジサーバのアドレスが送られてくると、その第３エッジサーバのアドレスが第１エッジサーバに対し通知される。これによって、第１エッジサーバでは、近隣のエッジルータとエッジサーバの対応テーブルが無くとも必要な第３エッジサーバのアドレスを取得することができる。
【０１１３】
つぎの発明によれば、上記の発明において、第３エッジルータでは、第１端末の移動完了検出を行われると、移動元である第１エッジルータに対し自エッジルータが対応するエッジサーバのアドレスを要求し、第１エッジルータから、第１エッジサーバのアドレスが送られてくると、その第１エッジサーバのアドレスが第３エッジサーバに対し通知される。これによって、第３エッジサーバでは、近隣のエッジルータとエッジサーバの対応テーブルが無くとも必要な第１エッジサーバのアドレスを取得することができる。
【０１１４】
つぎの発明によれば、上記の発明において、第１エッジルータでは、第１端末の移動予知検出が行われると、移動先である第３エッジルータに対し第１エッジサーバのアドレスが通知される。第３エッジルータでは、第１エッジルータから送られてきた第１エッジサーバのアドレスが第３エッジサーバに対し通知される。これによって、第３エッジサーバでは、近隣のエッジルータとエッジサーバの対応テーブルが無くとも必要な第１エッジサーバのアドレスを取得することができる。
【０１１５】
つぎの発明によれば、上記の発明において、第３エッジルータでは、第１端末の自エッジルータへの移動処理の完了が検出されると、第３エッジサーバのアドレスが第１端末に通知される。その結果、第１端末では、第３エッジサーバを介して１以上のコアサーバの対応するコアサーバに対し登録処理を実行することができる。
【図面の簡単な説明】
【図１】この発明の実施の形態１である移動体ネットワークにおける帯域制御方法（端末間のＳＩＰセッション確立時の処理）を説明するシステム図である。
【図２】この発明の実施の形態１である移動体ネットワークにおける帯域制御方法（移動元エッジルータでの端末の移動予知検出時の処理）を説明するシステム図である。
【図３】この発明の実施の形態１である移動体ネットワークにおける帯域制御方法（セッションの相手への端末移動通知の処理）を説明するシステム図である。
【図４】この発明の実施の形態１である移動体ネットワークにおける帯域制御方法（移動先エッジルータでの端末の移動完了検出時の処理）を説明するシステム図である。
【図５】この発明の実施の形態１である移動体ネットワークにおける帯域制御方法（端末移動完了検出後のＳＩＰセッション解放処理）を説明するシステム図である。
【図６】この発明の実施の形態２である移動体ネットワークにおける帯域制御方法（移動元エッジルータでの端末の移動予知検出時の処理）を説明するシステム図である。
【図７】この発明の実施の形態２である移動体ネットワークにおける帯域制御方法（移動先エッジルータでの端末の移動完了検出時の処理）を説明するシステム図である。
【図８】この発明の実施の形態３である移動体ネットワークにおける帯域制御方法（移動元エッジルータでの端末の移動予知検出から移動先エッジルータでの端末の移動完了検出までの間に、ＳＩＰセッション解放処理が行われた場合の処理）を説明するシステム図である。
【図９】この発明の実施の形態４である移動体ネットワークにおける帯域制御方法（移動元側のＳＩＰサーバが移動先側のＳＩＰサーバのアドレス取得処理）を説明するシステム図である。
【図１０】この発明の実施の形態４である移動体ネットワークにおける帯域制御方法（移動先側のＳＩＰサーバが移動元側のＳＩＰサーバのアドレス取得処理（その１））を説明するシステム図である。
【図１１】この発明の実施の形態４である移動体ネットワークにおける帯域制御方法（移動先側のＳＩＰサーバが移動元側のＳＩＰサーバのアドレス取得処理（その２））を説明するシステム図である。
【図１２】３ＧＰＰのＩＭＳにおけるＳＩＰサーバの基本構成を説明するシステム図である。
【図１３】図１２に示すシステムにおいてＱｏＳポリシー情報（Ｃｏｎｔｅｘｔ）を設定するとした場合の帯域制御方法を説明するシステム図である。
【図１４】３ＧＰＰのＩＭＳを移動体ネットワークに適用した場合の帯域制御方法を説明するシステム図である。
【符号の説明】
１　端末（移動端末）、２　端末（移動端末または固定端末）、３−１〜３−ｎ，４　エッジルータ（ＥＲ）、５−１〜５−ｎ，７　Ｐ−ＣＳＣＦ（エッジに位置するＳＩＰサーバ：エッジサーバ）、６　Ｓ−ＣＳＣＦ（中央に位置するＳＩＰサーバ：コアサーバ）、Ｃ１ー１〜Ｃ１−ｎ，Ｃ２−１　ＱｏＳポリシー情報（Ｃｏｎｔｅｘｔ）、Ｓ１　セッション。
【図１】
2004056255.tif 000003
【図２】
2004056255.tif 000004
【図３】
2004056255.tif 000005
【図４】
2004056255.tif 000006
【図５】
2004056255.tif 000007
【図６】
2004056255.tif 000008
【図７】
2004056255.tif 000009
【図８】
2004056255.tif 000010
【図９】
2004056255.tif 000011
【図１０】
2004056255.tif 000012
【図１１】
2004056255.tif 000013
【図１２】
2004056255.tif 000014
【図１３】
2004056255.tif 000015
【図１４】
2004056255.tif 000016